(57)【要約】  履物用品は、アッパーと、アッパーに取り付けられたミッドソールと、アウトソールとを含んでなる。ミッドソールは、フットベッドとフットベッドの反対側の当該ミッドソールに配置された底面とを含んでなる。アウトソールは、接地面と、接地面の反対側の当該アウトソールに配置された内面と、接地面から延びて当該アウトソールを囲む壁とを含んでなる。履物用品は、粒子状物質を収容し、アウトソールの長さよりも長い長さを有するケーシングをさらに含む。ケーシングは、その長さに沿った所定の位置に第１の折り目を含む。また、ケーシングは、底面と内面との間でアウトソールの壁によって境界が定まっているキャビティ内に受容されている。
2018528032.tif 000002
【特許請求の範囲】
【請求項１】
アッパーと、
前記アッパーに取り付けられたミッドソールであって、フットベッドと前記フットベッドの反対側の当該ミッドソールに配置された底面とを含むミッドソールと、
アウトソールであって、接地面と、前記接地面の反対側の当該アウトソールに配置された内面と、前記接地面から延びて当該アウトソールを囲む壁と、を含むアウトソールと、
粒子状物質を収容するケーシングであって、前記アウトソールの長さよりも長く、その長さに沿った所定の位置に第１の折り目を含み、前記底面と前記内面との間で前記アウトソールの前記壁によって境界が定まっているキャビティ内に受容されたケーシングと、
を含むことを特徴とする履物用品。
【請求項２】
前記所定の位置が、前記ケーシングの中間点又は前記ケーシングの中間点に近接していることを特徴とする請求項１に記載の履物用品。
【請求項３】
前記所定の位置が、前記ケーシングの中間点と前記ケーシングの端部との間に配置されていることを特徴とする請求項１に記載の履物用品。
【請求項４】
前記ケーシングが第１の端部および第２の端部を含み、前記ケーシングが所定の位置で折り畳まれたときに前記第１の端部が前記アウトソール内の第２の端部に近接して配置されていることを特徴とする請求項１に記載の履物用品。
【請求項５】
前記ケーシングが可撓性材料から形成されていることを特徴とする請求項１〜４のいずれか１項に記載の履物用品。
【請求項６】
前記ケーシングがメッシュ材料から形成されていることを特徴とする請求項１〜５のいずれか１項に記載の履物用品。
【請求項７】
前記ケーシングがナイロン材料から形成されていることを特徴とする請求項１〜６のいずれか１項に記載の履物用品。
【請求項８】
前記ケーシングが前記所定の位置を画定する縫い目を含むことを特徴とする請求項１〜７のいずれか１項に記載の履物用品。
【請求項９】
前記ケーシングの複数の壁が一緒に固定され、前記所定の位置を画定していることを特徴とする請求項１〜８のいずれか１項に記載の履物用品。
【請求項１０】
前記ケーシングの複数の壁が一緒に固定され、多数の前記粒子状物質をそれぞれ収容する少なくとも二つのポケットを画定していることを特徴とする請求項１〜９のいずれか１項に記載の履物用品。
【請求項１１】
前記少なくとも二つのポケットが略同じ量の前記粒子状物質を収容することを特徴とする請求項１０に記載の履物用品。
【請求項１２】
前記少なくとも二つのポケットが異なる量の前記粒子状物質を収容することを特徴とする請求項１０に記載の履物用品。
【請求項１３】
前記粒子状物質が発泡体ビーズを含むことを特徴とする請求項１〜１２のいずれか１項に記載の履物用品。
【請求項１４】
前記発泡体ビーズが実質的に球形の形状を含むことを特徴とする請求項１３に記載の履物用品。
【請求項１５】
前記発泡体ビーズが略同じサイズ及び形状を有することを特徴とする請求項１３に記載の履物用品。
【請求項１６】
前記発泡体ビーズが異なるサイズ及び形状のうちの少なくとも１つを有することを特徴とする請求項１３に記載の履物用品。
【請求項１７】
前記ケーシングの前記所定の位置と第１の端部との間に前記ケーシングの長さに沿って配置された第２の折り目をさらに含むことを特徴とする請求項１に記載の履物用品。
【請求項１８】
前記ケーシングの前記第１の端部の反対側に配置された第２の端部と前記所定の位置との間に、前記ケーシングの長さに沿って配置された第３の折り目をさらに含むことを特徴とする請求項１７に記載の履物用品。
【請求項１９】
アッパーと、
前記アッパーに取り付けられたミッドソールであって、フットベッドと前記フットベッドの反対側の当該ミッドソールに配置された底面とを含むミッドソールと、
アウトソールであって、接地面と、前記接地面の反対側の当該アウトソールに配置された内面と、前記接地面から延びて当該アウトソールを囲む壁と、を含むアウトソールと、
粒子状物質を収容するケーシングであって、前記アウトソールの長さよりも長く、前記底面と前記内面との間で前記アウトソールの前記壁によって境界が定まっているキャビティ内に折り畳んで受容されたケーシングと、
を含むことを特徴とする履物用品。
【請求項２０】
前記ケーシングの中間点又は前記ケーシングの中間点に近接している位置で折り畳まれていることを特徴とする請求項１９に記載の履物用品。
【請求項２１】
前記ケーシングの中間点と前記ケーシングの端部との間で折り畳まれていることを特徴とする請求項１９に記載の履物用品。
【請求項２２】
前記ケーシングが第１の端部および第２の端部を含み、前記ケーシング自身が折り畳まれたときに前記第１の端部が前記アウトソール内の第２の端部に近接して配置されていることを特徴とする請求項１９に記載の履物用品。
【請求項２３】
前記ケーシングが可撓性材料から形成されていることを特徴とする請求項１９〜２２のいずれか１項に記載の履物用品。
【請求項２４】
前記ケーシングがメッシュ材料から形成されていることを特徴とする請求項１９〜２３のいずれか１項に記載の履物用品。
【請求項２５】
前記ケーシングがナイロン材料から形成されていることを特徴とする請求項１９〜２４のいずれか１項に記載の履物用品。
【請求項２６】
前記ケーシングが折り目を画定する所定の位置をさらに含むことを特徴とする請求項１９〜２５のいずれか１項に記載の履物用品。
【請求項２７】
前記ケーシングが前記所定の位置を画定する縫い目を含むことを特徴とする請求項２６に記載の履物用品。
【請求項２８】
前記ケーシングの複数の壁が一緒に固定され、前記所定の位置を画定していることを特徴とする請求項２６に記載の履物用品。
【請求項２９】
前記ケーシングの複数の壁が一緒に固定され、多数の前記粒子状物質をそれぞれ収容する少なくとも二つのポケットを画定していることを特徴とする請求項１９〜２８のいずれか１項に記載の履物用品。
【請求項３０】
前記少なくとも二つのポケットが略同じ量の前記粒子状物質を収容することを特徴とする請求項２９に記載の履物用品。
【請求項３１】
前記少なくとも二つのポケットが異なる量の前記粒子状物質を収容することを特徴とする請求項２９に記載の履物用品。
【請求項３２】
前記粒子状物質が発泡体ビーズを含むことを特徴とする請求項１９〜３１のいずれか１項に記載の履物用品。
【請求項３３】
前記発泡体ビーズが実質的に球形の形状を含むことを特徴とする請求項３２に記載の履物用品。
【請求項３４】
前記発泡体ビーズが略同じサイズ及び形状を有することを特徴とする請求項３２に記載の履物用品。
【請求項３５】
前記発泡体ビーズが異なるサイズ及び形状のうちの少なくとも１つを有することを特徴とする請求項３２に記載の履物用品。
【請求項３６】
アッパーと、
前記アッパーに取り付けられたミッドソールであって、フットベッドと前記フットベッドの反対側の当該ミッドソールに配置された底面とを含むミッドソールと、
アウトソールであって、接地面と、前記接地面の反対側の当該アウトソールに配置された内面と、前記接地面から延びて当該アウトソールを囲む壁と、を含むアウトソールと、
粒子状物質を収容し、第１の端部と第２の端部との間で延びる長さを有するケーシングであって、前記底面と前記内面との間で前記アウトソールの前記壁によって境界が定まっているキャビティ内に当該ケーシングが受容された時に、前記第１の端部が前記第２の端部に近接して配置されているケーシングと、
を含むことを特徴とする履物用品。
【請求項３７】
前記ケーシングの中間点又は前記ケーシングの中間点に近接している位置で前記ケーシングが折り畳まれていることを特徴とする請求項３６に記載の履物用品。
【請求項３８】
前記ケーシングの中間点と前記ケーシングの端部との間で前記ケーシングが折り畳まれていることを特徴とする請求項３６に記載の履物用品。
【請求項３９】
前記ケーシングが可撓性材料から形成されていることを特徴とする請求項３６〜３８のいずれか１項に記載の履物用品。
【請求項４０】
前記ケーシングがメッシュ材料から形成されていることを特徴とする請求項３６〜３９のいずれか１項に記載の履物用品。
【請求項４１】
前記ケーシングがナイロン材料から形成されていることを特徴とする請求項３６〜４０のいずれか１項に記載の履物用品。
【請求項４２】
前記ケーシングが折り目を画定する所定の位置をさらに含むことを特徴とする請求項３６〜４１のいずれか１項に記載の履物用品。
【請求項４３】
前記ケーシングが前記所定の位置を画定する縫い目を含むことを特徴とする請求項４２に記載の履物用品。
【請求項４４】
前記ケーシングの複数の壁が一緒に固定され、前記所定の位置を画定していることを特徴とする請求項４２に記載の履物用品。
【請求項４５】
前記ケーシングの複数の壁が一緒に固定され、多数の前記粒子状物質をそれぞれ収容する少なくとも二つのポケットを画定していることを特徴とする請求項３６〜４４のいずれか１項に記載の履物用品。
【請求項４６】
前記少なくとも二つのポケットが略同じ量の前記粒子状物質を収容することを特徴とする請求項４５に記載の履物用品。
【請求項４７】
前記少なくとも二つのポケットが異なる量の前記粒子状物質を収容することを特徴とする請求項４５に記載の履物用品。
【請求項４８】
前記粒子状物質が発泡体ビーズを含むことを特徴とする請求項３６〜４７のいずれか１項に記載の履物用品。
【請求項４９】
前記発泡体ビーズが実質的に球形の形状を含むことを特徴とする請求項４８に記載の履物用品。
【請求項５０】
前記発泡体ビーズが略同じサイズ及び形状を有することを特徴とする請求項４８に記載の履物用品。
【請求項５１】
前記発泡体ビーズが異なるサイズ及び形状のうちの少なくとも１つを有することを特徴とする請求項４８に記載の履物用品。
【請求項５２】
フットベッドとアウトソールとの間にキャビティを設けるステップと、
ケーシングに粒子状物質を収容させるステップと、
前記ケーシングを前記ケーシングの長さに沿った所定の位置で折り畳むステップと、
前記ケーシングを前記キャビティ内に挿入するステップと、
を含んでなることを特徴とする履物用品を製造する方法。
【請求項５３】
前記ケーシングを前記アウトソールの長さより長く設けるステップを含むことを特徴とする請求項５２に記載の方法。
【請求項５４】
前記ケーシングを前記所定の位置で折り畳むステップは、前記ケーシングの中間点付近で折り畳むステップを含むことを特徴とする請求項５２項に記載の方法。
【請求項５５】
前記ケーシングを前記所定の位置で折り畳むステップは、前記ケーシングの中間点と端部の間の位置で折り畳むステップを含むことを特徴とする請求項５２項に記載の方法。
【請求項５６】
折り畳まれた前記ケーシングを前記キャビティ内に挿入するステップは、前記ケーシングの第１の端部を第２の端部の近接に位置決めするステップを含むことを特徴とする請求項５２項に記載の方法。
【請求項５７】
前記ケーシングを可撓性材料から形成するステップをさらに含むことを特徴とする請求項５２〜５６のいずれか一項に記載の方法。
【請求項５８】
前記ケーシングをメッシュ材料から形成するステップをさらに含むことを特徴とする請求項５２〜５７のいずれか一項に記載の方法。
【請求項５９】
前記ケーシングをナイロン材料から形成するステップをさらに含むことを特徴とする請求項５２〜５８のいずれか一項に記載の方法。
【請求項６０】
前記ケーシングに前記所定の位置を画定する縫い目を設けるステップをさらに含むことを特徴とする請求項５２〜５９のいずれか一項に記載の方法。
【請求項６１】
前記所定の位置を画定するために前記ケーシングの複数の壁を一緒に固定するステップをさらに含むことを特徴とする請求項５２〜６０のいずれか一項に記載の方法。
【請求項６２】
多数の前記粒子状物質をそれぞれ収容する少なくとも二つのポケットを画定するために前記ケーシングの複数の壁を一緒に固定するステップをさらに含むことを特徴とする請求項５２〜６１のいずれか一項に記載の方法。
【請求項６３】
多数の前記粒子状物質をそれぞれ収容する前記少なくとも二つのポケットを画定することは、略同じ量の前記粒子状物質をそれぞれ収容する少なくとも二つのポケットを画定することを含むことを特徴とする請求項６２に記載の方法。
【請求項６４】
多数の前記粒子状物質をそれぞれ収容する前記少なくとも二つのポケットを画定することは、異なる量の前記粒子状物質をそれぞれ収容する少なくとも二つのポケットを画定することを含むことを特徴とする請求項６２に記載の方法。
【請求項６５】
前記ケーシングに前記粒子状物質を収容させるステップは、前記ケーシングに多数の発泡体ビーズを提供するステップを含むステップを含むことを特徴とする請求項５２〜６４のいずれか一項に記載の方法。
【請求項６６】
前記ケーシングに多数の前記発泡体ビーズを提供するステップは、実質的に球形の形状を有する発泡体ビーズを提供するステップを含むことを特徴とする請求項６５に記載の方法。
【請求項６７】
前記ケーシングに多数の前記発泡体ビーズを提供するステップは、略同じサイズ及び形状を有する発泡体ビーズを提供するステップを含むことを特徴とする請求項６５に記載の方法。
【請求項６８】
前記ケーシングに多数の前記発泡体ビーズを提供するステップは、異なるサイズ及び形状のうちの少なくとも１つを有する発泡体ビーズを提供するステップを含むことを特徴とする請求項６５に記載の方法。
【発明の詳細な説明】
【技術分野】
【０００１】
本出願は、２０１５年９月２４日に出願された米国仮出願番号第６２／２２２,８２２号、同日に出願された米国仮出願番号第６２／２２２,８７３号、同日に出願された米国仮特許出願番号第６２／２２２,８５１号、同日に出願された米国仮出願番号第６２／２２２,８４２号、同日に出願された米国仮出願番号第６２／２２２,８３２号、及び同日に出願された米国仮出願番号第６２／２２２,８１６号の優先権を主張し、その開示内容全体がこの参照によって本明細書に組み込まれるものとする。
【０００２】
本開示は、柔軟なケーシング内に収容される粒子状発泡体を有する履物用品に広く関する。
【背景技術】
【０００３】
このセクションは、従来技術では必要のなかった本開示に関する背景情報を提供する。
【０００４】
従来、履物用品はアッパーとソール構造を含んでいる。アッパーは、ソール構造上の足を受け入れ、固定し、支持するための任意の適切な材料から形成されて良い。アッパーは、靴ひも、ストラップ、または、足の周囲のアッパーのフィット感を調整するための他の締結具と協働する。足の底面に近接するアッパーの底部は、ソール構造に固定される。
【０００５】
ソール構造は一般的に、接地面とアッパーとの間に延びる層状配列を含む。ソール構造の一つの層は接地面と耐摩耗性とトラクション（静止摩擦）を提供するアウトソールを含む。アウトソールはゴム又は他の材料から形成され、耐久性を付与し、耐摩耗性、並びに地面とのトラクションを高める。ソール構造の別の層は、アウトソールとアッパーとの間に配置されたミッドソールを含む。足のためのクッションを提供するミッドソールは、一般に少なくとも部分的に、荷重下において弾性的に圧縮するポリマー発泡材料で形成されており、グラウンド反発力を減衰させることで足を保護する。ミッドソールは、アウトソールに対面する側に底面を画定し、反対側に、足の底面特性に適合するように輪郭取りされたフットベッドを画定する。ソール構造は、アッパーの底部に近接する空間内に位置する快適性向上インソールまたは靴下を含み得る。
【先行技術文献】
【特許文献】
【０００６】
【特許文献１】本明細書には、先行技術文献は開示されていない。
【発明の概要】
【発明が解決しようとする課題】
【０００７】
ポリマー発泡材料を使用したミッドソールは、一般に、歩行又は走行中などに加わる荷重下において弾性的圧縮するように単一のスラブとして構成される。一般的に、単一スラブのポリマー発泡体は、柔軟性と応答性に関連するクッション特性をバランスに重点を置いて設計され、スラブが傾斜荷重負荷の下で圧縮する。柔らかすぎるクッションを提供するポリマー発泡体は、圧縮性と繰り返し圧縮後のグラウンド反発力を減衰させるミッドソールの能力を低下させる。逆に、硬すぎるために、応答性に優れ、柔軟性を犠牲にするポリマー発泡体は、それによって快適性の損失をもたらす。ポリマー発泡体の異なるスラブの領域は、全体として、スラブの柔軟性および応答性のバランスをとるために、密度、硬度、反発力、および材料の選択を変えることができるが、柔軟性から応答性の幅を有する傾斜荷重の負荷を受けるポリマー発泡体の単一スラブを創造することは達成が困難である。
【課題を解決するための手段】
【０００８】
本開示の一態様は、アッパー、ミッドソール、及びアウトソールを有する履物用品を含む。ミッドソールはアッパーに取り付けられ、フットベッドと底面を備えています。底面およびフットベッドは、ミッドソールの両側に配置される。アウトソールは、接地面、内面、および接地面から延びてアウトソールを取り囲む壁を有する。内面と地面との接触面は、アウトソールの反対側に配置される。履物用品はまた、粒子状物質を収容するケーシングを含む。ケーシングの長さは、アウトソールの長さより長い。ケーシングは、その長さに沿った所定の位置に第１の折り目を含み、底面と内面との間のアウトソールの壁によって境界を定められたキャビティ内に受容される。
【０００９】
いくつかの実施形態では、ケーシングは、第１の端部および第２の端部を含む。ケーシングが所定の位置で折り畳まれるとき、第１の端部は、アウトソール内の第２の端部に近接して配置され得る。いくつかのシナリオでは、所定の位置はケーシングの中間点またはその近傍にあり、他のシナリオでは、所定の位置はケーシングの中間点とケーシングの端部との間に配置される。
【００１０】
ケーシングは、可撓性材料から形成することができる。追加的または代替的に、ケーシングはメッシュ材料から形成されてもよい。任意選択で、ケーシングは、ナイロン材料からさらに形成される。いくつかの例では、ケーシングは、所定の位置を画定するためにステッチング（縫合）を含む。
【００１１】
１つの構成では、ケーシングの壁が互いに固定されて、各々が多数の粒子状物質を含む少なくとも２つのポケットを画定する。少なくとも２つのポケットは、略同じ量の粒子状物質または異なる量の粒子状物質を含むことができる。粒子状物質は、略同じ大きさおよび形状、或いは異なる大きさおよび形状の少なくとも１つを有する発泡体ビーズを含むことができる。発泡体ビーズは、実質的に球形を含み得る。
【００１２】
いくつかの例では、第２の折り目は、ケーシングの所定の位置とケーシングの第１の端部との間のケーシングの長さに沿って配置される。さらに、ケーシングの所定の位置とケーシングの第２の端部との間のケーシングの長さに沿って、ケーシングの第１の端部とは反対側の端部に配置された第３の折り目が設けられてもよい。
【００１３】
本開示の別の態様は、アッパーと、アッパーに取り付けられたミッドソールと、地面と接触する面を有するアウトソールとを含む履物用品を含む。ミッドソールは、フットベッドと、フットベッドよりもミッドソールの反対側に配置された底面とを有する。アウトソールはまた、アウトソールの接地面とは反対側に配置された内面を有する。壁は地面に接触する面から延び、アウトソールを取り囲む。履物用品はまた、粒子状物質を収容するケーシングを含む。ケーシングの長さはアウトソールの長さよりも長く、その長さに沿った所定の位置で少なくとも１つの折りたたみを有する。ケーシングは、底面と内面との間でアウトソールの壁によって境界が定まったキャビティ内に受容される。
【００１４】
いくつかの例では、ケーシングは、ケーシングが所定の位置で折り畳まれたときに、アウトソール内で互いに近接して配置され得る第１の端部および第２の端部を含む。いくつかのシナリオでは、所定の位置はケーシングの中間点またはその近傍にあり、他のシナリオでは、所定の位置はケーシングの中間点とケーシングの端との間に配置される。
【００１５】
ケーシングは、可撓性材料から形成することができる。追加的または代替的に、ケーシングはメッシュ材料から形成されてもよい。任意選択で、ケーシングは、ナイロン材料からさらに形成される。いくつかの例では、ケーシングは、所定の位置を画定するためにステッチングを含む。ケーシングの複数の壁は、所定の位置を画定するために共に固定されてもよい。
【００１６】
いくつかの実施例では、ケーシングの複数の壁は共に固定されて、各々が多量の粒子状物質を収容する少なくとも２つのポケットを画定する。少なくとも２つのポケットは、略同じ量の粒子状物質または異なる量の粒子状物質を含み得る。粒子状物質は、略同じ大きさおよび形状、或いは異なる大きさおよび形状の少なくとも１つを有する発泡体ビーズを含むことができる。発泡体ビーズは、実質的に球形を含み得る。
【００１７】
本開示のさらに別の態様では、アッパー、ミッドソール、およびアウトソールを有する履物用品が提供される。ミッドソールはアッパーに取り付けられ、フットベッドと底面を備えている。底面およびフットベッドは、ミッドソールの両側に配置される。アウトソールは、接地面、内面、および接地面から延びてアウトソールを取り囲む壁を有する。内面と接地面は、アウトソールの反対側に配置される。履物用品はまた、粒子状物質を収容し、且つアウトソールの長さより長い長さを有するケーシングを含む。ケーシングは、それ自体に折り畳まれ、底面と内面との間でアウトソールの壁によって境界が定まっているキャビティ内に受容される。
【００１８】
いくつかの実施態様では、ケーシングは、ケーシングの中間点またはその近傍において、それ自体に折り畳まれる。反対に、他の実施形態では、ケーシングは、ケーシングの中間点とケーシングの端部との間において、それ自体に折り畳まれる。いくつかの例では、ケーシングがそれ自体に折り畳まれるとき、ケーシングの第１の端部は、ケーシングの第２の端部に近接してアウトソール内に配置される。
【００１９】
ケーシングは、可撓性材料から形成することができる。追加的または代替的に、ケーシングはメッシュ材料から形成されてもよい。任意選択で、ケーシングは、ナイロン材料からさらに形成され得る。いくつかの例では、ケーシングの所定の位置が折り目を画定し、ケーシングは、所定の位置を画定するためのステッチングを含み得る。ケーシングの複数の壁は、所定の位置を画定するために共に固定されてもよい。
【００２０】
任意選択的に、ケーシングの複数の壁は共に固定されて、各々が多数の粒子状物質を収容する少なくとも２つのポケットを画定する。少なくとも２つのポケットは、略同じ量の粒子状物質または異なる量の粒子状物質を含むことができる。粒子状物質は、略同じ大きさおよび形状、或いは異なる大きさおよび形状の少なくとも１つを有する発泡体ビーズを含み得る。発泡体ビーズは、実質的に球形を含むことができる。
【００２１】
本開示の別の態様は、アッパーと、アッパーに取り付けられたミッドソールと、接地面を有するアウトソールとを有する履物用品を提供する。ミッドソールは、フットベッドと、フットベッドよりもミッドソールの反対側に配置された底面とを有する。アウトソールはまた、アウトソールの接地面とは反対側に配置された内面を有する。壁は接地面から延び、アウトソールを取り囲む。履物用品はまた、粒子状物質を収容し、第１の端部と第２の端部との間に延びる長さを有するケーシングを含む。ケーシングが、底面と内面との間でアウトソールの壁によって境界が定まったキャビティ内に受容されると、第１の端部は第２の端部に近接して配置される。
【００２２】
ケーシングは、ケーシングの中間点またはその近傍において折り畳まれ得る。任意選択的に、ケーシングは、ケーシングの中間点とケーシングの第１の端との間においてそれ自体に折り畳まれる。ケーシングは、可撓性材料から形成することができる。追加的または代替的に、ケーシングはメッシュ材料から形成されてもよい。任意選択で、ケーシングは、ナイロン材料からさらに形成され得る。いくつかの例では、ケーシングの所定の位置が折り目を画定し、ケーシングは、所定の位置を画定するためのステッチングを含み得る。ケーシングの複数の壁は、所定の位置を画定するために共に固定されてもよい。
【００２３】
いくつかの実施形態では、ケーシングの複数の壁は共に固定されて、各々が多数の粒子状物質を収容する少なくとも２つのポケットを画定する。少なくとも２つのポケットは、略同じ量の粒子状物質または異なる量の粒子状物質を含み得る。粒子状物質は、略同じ大きさおよび形状、或いは異なる大きさおよび形状の少なくとも１つを有する発泡体ビーズを含むことができる。発泡体ビーズは、実質的に球形を含むことができる。
【００２４】
本開示の別の態様は、履物用品を製造する方法を提供する。この方法は、フットベッドとアウトソールとの間にキャビティを設けるステップと、ケーシングに粒子状物質を収容するステップとを含む。この方法はまた、ケーシングの長さに沿った所定位置においてケーシングを折り畳むステップと、折り畳まれたケーシングをキャビティ内に挿入するステップとを含む。
【００２５】
いくつかの実施形態では、ケーシングを設けるステップは、アウトソールの長さより長い長さを有するケーシングを設けるステップを含む。いくつかの例では、ケーシングを所定の位置で折り畳むステップは、ケーシングのほぼ中間点においてケーシングを折り畳むことを含む。他の例では、ケーシングを所定の位置で折り畳むステップは、ケーシングの中間点とケーシングの端部との間に配置された位置においてケーシングを折り畳むことを含む。
【００２６】
いくつかのシナリオでは、この方法は、ケーシングの第１の端部をケーシングの第２の端部の近くに配置することによって、ケーシングに折り畳まれたケーシングを挿入することを含む。この方法はまた、可撓性材料からケーシングを形成するステップを含むことができる。それに加えてまたはこれに代えて、本方法はメッシュ材料からケーシングを形成するステップを含むこともできる。いくつかの例では、この方法はナイロン材料からケーシングを形成することを含む。 いくつかの例では、この方法は、所定の位置を画定するためにケーシングにステッチングを設けるステップを含む。この方法はまた、所定の位置を画定するためにケーシングの複数の壁を共に固定することを含み得る。
【００２７】
任意選択的に、この方法はまた、ケーシングの複数の壁を共に固定して、各々が多数の粒子状物質を収容する少なくとも２つのポケットを画定することを含む。例えば、この方法は、略同じ量の粒子状物質を収容するか、或いは異なる量の粒子状物質を収容する、少なくとも２つのポケットを画定することを含み得る。いくつかの例では、粒子状物質を収容するケーシングを設けるステップは、多量の発泡体ビーズを収容するケーシングを設けることを含む。発泡体ビーズは、実質的に球形の形状を有することができる。発泡体ビーズは、略同じ大きさおよび形状、または異なる大きさおよび形状の少なくとも１つを有してもよい。
【図面の簡単な説明】
【００２８】
添付した図面は、選択された特性のプロセス目的のみを記載しており、本開示の範囲を限定するものではない。
【００２９】
【図１】本開示の原理に基づく履物用品の上面斜視図である。
【図２】図１の履物用品の分解図で、アウトソールの内面とミッドソールの底面との間のキャビティ内に収容された粒子状物質を含むケーシングを示す。
【図３】図１の線３−３で切った断面図であり、粒子状物質を収容し、アウトソールの内面とミッドソールの底面との間のキャビティ内に受容されたケーシングを示す。
【図４】図１の履物用品のアウトソールの上面斜視図であって、粒子状物質を収容し、アウトソールの壁とアウトソールの内面とによって囲まれたキャビティ内に存在するケーシングを示す。
【図５】図２〜４のケーシングの部分斜視図であって、所定の位置に折り目を有し、粒子状物質を収容するケーシングを示す。
【図６】図５の線６−６で切った断面図で、ケーシングの所定位置に折り目を固定するステッチングを示す。
【図７】図５の線７−７で切った断面図で、ケーシングの内壁内に存在する粒子状物質を示す。
【図８】図５の線７−７で切った別の断面図で、ケーシングの内壁と複数の仕切りによって画定されるケーシングの内部セグメントに存在する粒子状物質を示す。
【図９】本開示の原理に基づく履物用品の上面斜視図である。
【図１０】図９の履物用品の展開図であって、ミッドソールの底面とアウトソールの内面との間にアウトソールの壁によって境界を定められたキャビティ内に受容され、粒子状物質を収容するケーシングを示す。
【図１１】図９の履物用品のアウトソールの上面斜視図であって、粒状物質を収容し、アウトソールの壁とアウトソールの内面とによって境界を定められたキャビティ内に存在するケーシングを示す。
【図１２】図９の履物用品のアウトソールの上面図であって、それぞれが粒子状物質を含むポケットを画定するように互いに固定されたケーシングの壁と共に、アウトソールの壁によって境界を定められたケーシングを示す。
【図１３】本開示の原理に基づく履物用品の上面斜視図である。
【図１４】図１３の履物用品のケーシングの斜視図であって、折り目を縫い合わせた線を有し、粒子状物質を収容するケーシングを示す。
【図１５】図１３の履物用品のアウトソールの上面斜視図であって、縫合された折り目で折り畳まれ、アウトソールのキャビティ内に存在するケーシングを示す。
【図１６】本開示の原理に基づく履物用品の上面斜視図である。
【図１７】図１６の履物用品の分解図であって、ミッドソールの底面とアウトソールの内面との間にアウトソールの壁によって境界を定められたキャビティ内に受容され、粒子状物質を収容するケーシングを示す。
【図１８】図１６の履物用品のアウトソールの上面斜視図であって、粒状物質を収容し、アウトソールの壁とアウトソールの内面とによって境界を定められたキャビティ内に存在するケーシングを示す。
【図１９】図１６の履物用品のケーシングの斜視図であって、ケーシングの中間点に位置する縫合された折り目線を示す。
【図２０】本開示の原理に基づく履物用品の上面斜視図である。
【図２１】図２０の履物用品の分解図であって、履物用品のミッドソールとアウトソールの内面との間に配置され、粒子状物質をそれぞれ収容する複数の積層式チューブ形状ケーシングを示す。
【図２２】図２０の線２２−２２で切った断面図であって、履物用品のミッドソールとアウトソールの内面との間に配置されたキャビティ内に受容され、粒子状物質をそれぞれ収容する複数の積層式チューブ形状ケーシングを示す。
【図２３】本開示の原理に基づく履物用品の上面斜視図である。
【図２４】図２３の履物用品の分解図であって、履物用品のミッドソールとアウトソールの内面との間に配置され、粒子状物質をそれぞれ収容する複数の編込み式チューブ形状ケーシングを示す。
【図２５】図２０の線２２−２２で切った断面図であって、履物用品のミッドソールとアウトソールの内面との間に配置されたキャビティ内に受容され、粒子状物質をそれぞれ収容する複数の編込み式チューブ形状ケーシングを示す。
【図２６】本開示の原理に基づく履物用品の上面斜視図である。
【図２７】図２６の履物用品の分解図であって、履物用品のミッドソールとアウトソールとの間に配置された粒子状物質およびクッション層を含む房状のケーシングを示す。
【図２８】図２６の線２８−２８で切った断面図であって、履物用品のミッドソールとアウトソールとの間に配置された粒子状物質およびクッション層を含む房状のケーシングを示す。
【発明を実施するための形態】
【００３０】
例示的な構成を、添付の図面を参照してより完全に説明する。例示的な構成は、本開示を介して、本開示の範囲を当業者に完全に伝えるように提供される。特定の詳細は、本開示の構成の完全な理解を提供するために、特定の構成要素、デバイス、および方法の例などのように記載される。特定の詳細を採用する必要はなく、その構成例は多くの異なる形態で実施することができ、特定の詳細および構成例は本発明の範囲を限定するものではないことは、当業者には明らかであろう。
【００３１】
本明細書で使用される用語は、特定の例示的な構成のみを説明するためのものであって、限定することを意図するものではない。本明細書で使用されるように、単数の冠詞「a」、「an」および「the」は、文脈が他に明白に示さない限り、複数形も含むことが意図されている。「備える」、「備える」、「含む」、および「有する」という用語は、包括的であり、よって、特徴、ステップ、動作、要素および／または構成要素の存在を特定するが、ステップ、動作、要素、構成要素、および／またはそれらのグループのうちの少なくとも１つを含むことができる。本明細書に記載の方法のステップ、プロセス、および動作は、性能の順序として具体的に特定されない限り、必ずしも説明または図示された特定の順序で性能を必要とすると解釈されるべきではない。追加または代替のステップを採用してもよい。
【００３２】
ある要素または層が他の要素または層に「上に」、「接触している」、「接続されている」、「取り付けられている」または「結合している」と言及されているとき、接続され、取り付けられ、または結合されてもよく、または介在する要素または層が存在してもよい。対照的に、ある要素が他の要素または層に「直接的に」、「直接的に関与している」、「直接的に接続されている」、「直接的に接続されている」または「直接的に結合している」と言及されている場合、介入の要素または層が存在する。要素間の関係を説明するために使用される他の言葉は、同様の考え方で（例えば、「間」対「直接的な間」、「隣接」対「直接的に隣接」など）解釈されるべきである。本明細書で使用される場合、「および／または」という用語は、関連する列挙された項目の１つまたは複数の任意のすべての組み合わせを含む。
【００３３】
第１、第２、第３などの用語は、本明細書では、様々な要素、構成要素、領域、層および／またはセクションを説明するために使用され得る。これらの要素、コンポーネント、領域、層および／またはセクションは、これらの用語によって限定されるべきではない。これらの用語は、ある要素、コンポーネント、領域、層、またはセクションを他の領域、層またはセクションと区別するためにのみ使用されてもよい。「第１」、「第２」などの用語および他の数値用語は、文脈によって明白に示されない限り、順序または順番を意味しない。したがって、以下に説明する第１の要素、構成要素、領域、層、またはセクションは、例示的構成の教示から逸脱することなく、第２の要素、構成要素、領域、層またはセクションと呼ぶことができる。
【００３４】
図１〜図８参照すると、いくつかの実施形態において、履物用品１０は、アッパー１００と、アッパー１００に取り付けられたソール構造２００とを含む。履物用品１０は、１つ以上の部分に分割されてもよい。これらの部分は、前足部１２、中足部１４、および踵部１６を含むことができる。前足部１２は、中足骨を足の骨格骨に接続するつま先および関節に対応し得る。中足部１４は、足のアーチ領域に対応し、踵部１６は、踵骨を含む足の後部に対応してもよい。履物１０は、履物１０の反対側に対応し、各部分１２、１４、１６を貫通して延びる横中央側面部１８、２０をそれぞれ含むことができる。
【００３５】
アッパー１００は、ソール構造２００に支持するために足を受け入れて固定するように構成された内部空間１０２を画定する内面を含む。踵部１６の足首開口部１０４は、内部空間１０２へのアクセスを提供することができる。足首開口部１０４は、足を受けて、足を空間１０２内に固定し、足を内部空間１０２に出し入れするのを容易にする。いくつかの例では、アッパー１００に沿って延びる１つ以上の締結具１０６が、足の周りの内部空間１０２のフィット感を調整し、足の出し入れするのを容易にする。アッパー１００は、アイレットなどの孔および／またはファスナ１０６を受ける繊維またはメッシュループのような他の係合アイテムを含むことができる。ファスナ１０６は、靴ひも、ストラップ、コード、フックアンドループ、または任意の他の適切なタイプのファスナを含み得る。
【００３６】
アッパー１００は、内部空間１０２とファスナ１０６との間に延在する舌部１１０を含み得る。アッパー１００は、内部空間１０２を形成するために互いに縫い合わされるかまたは接着剤で結合される１つ以上の材料から形成され得る。アッパーの材料には、織物、発泡体、皮革、および合成皮革が含まれ得るが、これらに限定されない。材料は、耐久性、空気透過性、耐摩耗性、柔軟性および快適性の特性を付与するように選択および配置されてもよい。
【００３７】
いくつかの実施形態では、ソール構造２００は、層状構造に配置されたアウトソール２１０およびミッドソール２２０を含む。 例えば、アウトソール２１０は、履物用品１０の使用中に地面に接し、ミッドソール２２０は、アッパー１００（例えば、アウトソール２１０とミッドソール２２０）との間に配置される。いくつかの例では、ソール構造２００はまた、履物の足裏の表面を受け入れるために、履物１００の内部空間１０２内に存在することができるインソールまたは靴下などの追加の層を組み込んでもよい。これらは、履物１０の快適性を向上させる。いくつかの例では、側壁２３０（例えば、壁２３０）は、アウトソール２１０の周囲を囲み、アウトソール２１０とミッドソール２２０とを分離して、それらの間にキャビティ２４０を画定する。いくつかの構成では、キャビティ２４０は、フットウェア１０の使用中に足のクッションを提供するために粒子状物質３５０を含むケーシング３００を受け入れる。ケーシング３００は、第一の端部３０２及び第２の端部３０４の間に延びる長さを画定し得る。ケーシング３００の長さは、長手方向軸線Ｌに沿って延びるアウトソール２１０の長さより大きくてもよい。いくつかの例では、ケーシング３００は可撓性材料から形成され得る。また、ケーシング３００は、選択的にメッシュ材料から形成されてもよく、それに加えてまたはこれに代えて、ナイロン材料から形成されてもよい。
【００３８】
ケーシング３００およびキャビティ２４０内に存在する粒子状物質３５０は、協働して、従来のミッドソールが提供する機能およびクッション特性を向上させることができる。例えば、ケーシング３００内に含まれる粒子状物質３５０は、実質的に球形の発泡体ビーズを含み得る。いくつかの例では、粒子状物質３５０は、略同じ大きさおよび形状を有する発泡体ビーズを含む。他の例では、粒子状物質３５０は、異なる大きさおよび形状の少なくとも１つを有する発泡体ビーズを含む。粒子状物質３５０の特定の大きさおよび形状にかかわらず、粒子状物質３５０は、アウトソール２１０およびミッドソール２２０と協働して、履物用品１０にクッション性および応答性の機能をもたらす。
【００３９】
いくつかの例において、アウトソール２１０は、接地面２１２および反対側の内面２１４を含み得る。アウトソール２１０は、アッパー１００に取り付けることができる。いくつかの例では、側壁２３０は、アウトソール２１０の周囲から延び、ミッドソール２２０またはアッパー１００を含む。図１は、前足部１２の先端に近接してアッパー１００に取り付けられたアウトソール２１０を示す。アウトソール２１０は、一般に、地面に耐摩耗性および牽引力をもたらし、耐久性および耐摩耗性を付与する材料、並びに地面との牽引力を高める１つまたは複数の材料より形成され得る。例えば、ゴムはアウトソール２１０の少なくとも一部を形成することができる。
【００４０】
ミッドソール２２０は、底面２２２と、底面２２２よりもミッドソール２２０の反対側に配置されたフットベッド２２４とを含むことができる。縫合２２６または接着剤は、ミッドソール２２０をアッパー１００に固定することができる。フットベッド２２４は、足の底面（例えば、足底）の特性に適合するように輪郭取りされている。いくつかの例では、インソールまたは靴下が、アッパー１００の内部空隙１０２の少なくとも一部において、足下のフットベッド２２４上に配置されてもよい。底面２２２は、アウトソール２１０の内面２１４と対向して、その間にキャビティ２４０を画定することができる。    
【００４１】
ミッドソール２２０は、ミッドソール２２０がケーシング３００内に配置され、キャビティ２４０に存在する粒子状物質３５０に適合することを可能にする十分な可撓性を有する可撓性材料から形成されてもよい。その際、可撓性ミッドソール２２０は、ソール構造２００の傾斜荷重負荷の間、キャビティ２４０に存在する粒子状物質３５０が足の底面の特性と相互作用することを可能にする柔軟なシュトローベル(stroble)に対応することができる。いくつかの例では、側壁２３０は、キャビティ２４０の周囲を画定することができ、また、キャビティ２４０の深さを底面２２２と内面２１４との間の分離長さに基づいて画定する。１つ以上のポリマー発泡材料は側壁２３０を形成し、荷重負荷時の弾性圧縮性を提供して接地荷重反力を減衰させる。いくつかの例では、側壁２３０は、アウトソール２１０と一体的に形成され、内面２１４からミッドソール２２０の底面２２２に向かって長手方向軸に対して実質的に垂直に延在する。
【００４２】
図２は履物用品１０の分解図で、アウトソール２１０の内面２１４とミッドソール２２０の底面２２２との間に配置されるケーシング３００であって、アウトソール２１０の側壁２３０によって境界が定められているキャビティ２４０内に受容され、粒子状物質３５０を収容するケーシング３００を示す。この例では、ケーシング３００は、その長さに沿った所定の位置に第１の折り目３１０を含む。具体的には、所定の位置における第１の折り目３１０は、ケーシング３００の中間点に相当する。図２は、ケーシング３００がケーシング３００の中間点に対応する所定の位置で折り畳まれたときに、アウトソール２１０の内面２１４の近傍または上のキャビティ２４０内のケーシング３００の第１の端部３０２が、ケーシング３００の第２の端部３０４に近接して配置されている状態を示す。いくつかの例では、ケーシング３００は管状で、粒子状物質３５０で充填されると均一な断面を有する。他の例では、ケーシング３００は、中間点から第１および第２の端部３０２、３０４のそれぞれに向かってテーパー状（先細）に形成されても良い（図１７）。
【００４３】
いくつかの構成では、ケーシング３００は、中間点と第１の端部３０２との間の長さに沿って配置された第２の折り目３１２を含み得る。第２の折り目３１２は、第２の折り目３１２と中間点３１０との間に収容される多数の粒子状物質３５０から分離されるように、第２の折り目３１２と第１の端部３０２との間に多数の粒子状物質３５０を収容することができる。これによって、第２の折り目３１２は、第２の折り目３１２のそれぞれ片側に存在する粒子状物質３５０が第２の折り目３１２の反対側への移動をする量を制限することができる。追加的または代替的に、ケーシング３００は、中間点３１０と第２の端部３０４との間の長さに沿って配置された第３の折り目３１４を含み得る。第３の折り目３１４は、第３の折り目３１４と中間点３１０との間に収容される多数の粒子状物質３５０から分離されるように、第３の折り目３１４と第２の端部３０４との間に多数の粒子状物質３５０を収容することができる。これによって、第３の折り目３１４は、第３の折り目３１４のそれぞれ片側に存在する粒子状物質３５０が第３の折り目３１４の反対側への移動をする量を制限することができる。第２の折り目３１２および／または第３の折り目３１４は、対応する折り目３１２、３１４を画定するために、ケーシング３００の壁の１つまたは複数の部分を縫合または固定することによって画定されてもよい。第２、第３の折り目３１２、３１４は、第１の折り目とそれぞれの第１および第２の端部３０２、３０４との間の中間点に配置され得るが、代替的には、第２、第３の折り目３１２、３１４は、第１の折り目とそれぞれの第１および第２の端部３０２との間のケーシング３００の長さのいずれの点に配置されても構わない。
【００４４】
図３は、図２の線３−３で切った断面図で、側壁２３０によって境界を定められたキャビティ２４０内に受容されたケーシング３００であって、粒子状物質３５０収容し、底面２２２と内面２１４との間に配置させたケーシング３００を示す。特に、図３は、中間点における第１の折り目３１０から第２の端部３０４までのケーシングの状態を示す。ケーシング３００は、第１の端部３０２（図示せず）がケーシング３００の第２の端部３０４に近接して配置されるように、中間点に第１の折り目３１０を含む。任意選択的に、ケーシング３００は、ケーシング３００の中間点３１０（例えば、第１の折り目）と対応する第１、第２の端部３０２、３０４との間に位置する、第２の折り目３１２（図示せず）または第３の折り目３１４を含むことができる。ケーシング３００がキャビティ２４０内にあるとき、ケーシング３００は、ミッドソール２２０の底面２２２とアウトソール２１０の内面２１４とに接触する外壁３０８を含む。
【００４５】
ケーシング３００はまた、内壁３０６を含み、その中に存在する粒子状物質３５０を包囲して囲む。ケーシング３００内に存在する粒子状物質３５０は、ソール構造２００の部分１２、１４、１６のうちの１つ以上で圧縮して、傾斜荷重が印加されたときに接地反応力を減衰させることができる。いくつかの例では、ケーシング３００は可撓性材料から形成される。ケーシング３００は、メッシュ材料から任意に形成することができる。それに加えてまたはこれに代えて、ケーシング３００はナイロン材料から形成されてもよい。したがって、ケーシング３００は、可撓性材料、メッシュ材料及び／又はナイロン材料から形成されてもよい。任意選択的に、ケーシング３００は、受容された粒子状物質３５０が、底面２１４、２２２のそれぞれの表面特性や側壁２３０の輪郭のようなソール構造２００に適合することを可能にする任意の適切な材料から形成されてもよい。
【００４６】
図４は、アウトソール２１０の上部斜視図で、粒子状物質３５０を含み、キャビティ２４０内に配置されている時、中間点に第１の折り目３１０を含むケーシング３００を示す。ケーシング３００は可撓性を有し、ケーシングが内面２１４の輪郭及びケーシング３００を拘束する側壁２３０の輪郭に一致することを可能にする。ケーシング３００は、部分的または全体的にキャビティ２４０を充填し得る。いくつかの例では、少なくともケーシング３００の一部分が、キャビティ２４０の深さを超えて側壁２３０の上方に存在する。これらの例では、アウトソール２１０がミッドソール２２０またはアッパー１００に取り付けられると、粒子状物質３５０を含むケーシング３００は、アウトソール２１０の内面２１４とミッドソール２２０の底面２２２との間で圧縮する。
【００４７】
図５は図２〜図４のケーシング３００の部分斜視図で、粒子状物質３５０を含み、その中間点に第１の折り目３１０を含むケーシングを示す。ケーシング３００が折り畳まれてキャビティ２４０内に配置されると、ソール構造２００による繰り返しの圧縮により、ケーシング３００内の粒子状物質３５０の移動に応答して、第１の折り目３１０がゆるみ、解かれ、または部分的に広がり得る。このシナリオでは、粒子状物質３５０は、中間点３１０の一方の側から中間点３１０の他方の側に移動し、それによってケーシング３００内に存在する粒子状物質３５０の不均一な分布をもたらし、クッション性をほとんど提供しない。いくつかの実施形態では、第１の折り目３１０が展開しないように、ケーシング３００は、第１の折り目３１０に対応する所定の位置（例えば、中間点）を画定するためのステッチング（縫合部）５２６を含む。図６は図５の線６−６で切った断面図で、図６は、所定の位置（例えば、中間点）を画定し、第１の折り目３１０を維持するために、ステッチング５２６または他の固定技術によって共に固定されたケーシング３００の外壁３０８及び／又は内壁３０６の１つ以上の部分を示す。中間点の第１の折り目３１０は、粒子状物質３５０がケーシング３００全体にわたって自由に動くことを制限し、さらにケーシング３００をキャビティ２４０に容易に組み付けることを可能にする屈曲点が設けられる。
【００４８】
いくつかの実施形態では、粒子状物質３５０（例えば、発泡体ビーズ）は、粒子状物質３５０が内壁３０６によって囲まれたすべての空隙を占めることを可能にするように、ケーシング３００内にわずかに過充填（例えば、詰める）され、これによってケーシング３００は伸び、外壁３０８に実質的に均一で滑らかな表面形状をもたらす。図７及び図８は、図５の線７−７で切った概略断面図で、内壁３０６によって囲まれた全ての空隙を実質的に充填する粒子状物質３５０の例を示す。
【００４９】
図７に示すように、いくつかの例では、ケーシング３００の内壁３０６は、粒子状物質３５０（例えば、発泡体ビーズ）を受け入れて収容する単一の内部領域７１０を画定する。任意として、図８に示す他の例では、ケーシング３００は、内壁３０６と協働して対応する量の粒子状物質３５０（例えば、発泡体ビーズ）を収容する２つ以上の内部領域８１０、８１２、８１４を画定する１つ以上の仕切り８０２、８０４を含む。これらの例では、仕切り８０２、８０４は、対応する内部領域８１０、８１２、８１４内の粒子状物質３５０の量を制限することによって、繰り返し圧縮中の粒子状物質３５０の自由移動を制限し、それによって、内壁３０６によって囲まれた粒子状物質３５０の均一な分布を維持する。
【００５０】
仕切り８０２、８０４は、縫合部８２６または他の適切な固定技術によって、お互いに、及び内壁３０６及び／又は外壁３０６にそれぞれ固定することができる。図８は、３つの内部領域８１０、８１２、８１４を画定するための２つの仕切り８０２、８０４を含むケーシング３００を示しているが、１つ以上の仕切りの任意の構成を用いて２つ以上の内部領域を画定することができる。いくつかの実施形態では、ケーシング３００は、第１の端部３０２と第２の端部３０４との間の長さに沿って、２つ以上の内部領域８１０、８１２、８１４（図８）と単一の内部領域７１０との組み合わせを含む。例えば、踵部１６または前足部１２のようなソール構造２００の傾斜荷重負荷中により頻繁に圧縮することが可能なケーシング３００のセグメントは、内部の粒子状物質３５０の動きを制限する２つ以上の内部領域を有することができる。その一方、中足部１４のように、より頻繁に圧迫されない、または低圧縮下にあるケーシング３００のセグメントは、単一の内部領域７１０を含み得る。ケーシング３００が粒子状物質３５０の自由な動きを制限するが、ケーシング３００内に存在する粒子状物質３５０のいくらかの移動が望ましい場合がある。例えば、中足部１４に近接するセグメントでは、アウトソール２１０の接地面２１２が踵部１６と前足部１２との間で地面との接触のために転動するときに、ケーシング３００に対する粒子状物質３５０の動きに傾斜クッションを提供する。踵部１６と前足部１２との間に形成される。
【００５１】
図９〜図１２に示すように、いくつかの実施形態では、履物用品１０ａは、アッパー１００と、アッパー１００に取り付けられたソール構造２００ａとを含む。履物用品１０ａに対する履物用品１０に関連する構成要素の構造及び機能の実質的な類似性を考慮して、同様の参照番号を同様の構成要素を識別するために使用し、同じ参照番号は文字拡張されて変更されたコンポーネントを識別するために使用される。
【００５２】
ソール構造２００ａは、層状構造に配置されたアウトソール２１０ａ及びミッドソール２２０ａを含むことができる。アウトソール２１０ａは、接地面２１２よりもアウトソール２１０ａの反対側に配置される内面２１４ａを含む。ミッドソール２２０ａは、ミッドソール２２０ａのフットベッド２２４よりも反対側に配置される底面２２２ａを含む。側壁２３０は、底面２２２ａと内面２１４ａとの間にキャビティ２４０ａを境界付ける。側壁２３０は、底面２２２ａと内面２１４ａとを分離して、キャビティ２４０ａの深さを画定してもよい。
【００５３】
いくつかの構成では、小塊状ケーシング３００ａは粒子状物質３５０を収容し、アウトソール２１０ａの内面２１４ａのキャビティ２４０ａ内に存在し得る。図１０は、長軸Ｌに沿って、第１の端部３０２ａと第２の端部３０４ａとの間に延びる長さを有する小塊状ケーシング３００ａを示す履物用品１０ａの分解図を示す。ケーシング３００ａは、ミッドソール２２０ａ及びアウトソール２１０ａの輪郭に実質的に一致するサイズ及び形状を有することができる。ミッドソール２２０ａは、図１〜図８のミッドソール２２０を形成する可撓性材料から形成されてもよく、ミッドソール２２０ａに十分な可撓性を付与し、それによって、小塊状ケーシング３００ａ内に配置され、キャビティ２４０ａ内に存在する粒子状物質３５０が、ソール構造２００ａの傾斜荷重負荷の間に足の底面の特性と相互作用することを可能にする。ケーシング３００ａは、粒子状物質３５０で満たされたときに、キャビティ２４０ａを少なくとも部分的に充填する容積も含む。図１１は、粒子状物質３５０を含み、キャビティ２４０ａ内に存在するケーシング３００ａを示すアウトソール２１０ａの上部斜視図を示す。この例では、第１の端部３０２ａは踵部１６に近接して配置され、第２の端部３０４ａは、ケーシング３００ａが内面２１４ａ上に横たわるとき前足部１２に近接して配置される。
【００５４】
ケーシング３００ａは、可撓性材料で形成され得る。例えば、ケーシング３００ａは、図１〜図８の管状ケーシング３００を形成するメッシュ材料及び／又はナイロン材料から形成されてもよい。従って、ケーシング３００ａ及び粒子状物質３５０は、キャビティ２４０ａの形状及び大きさに適合することができる。例えば、ケーシング３００ａがキャビティ２４０ａ内に設置されるとき、ケーシング３００ａと側壁２３０との間に締まりばめが設けられてもよい。いくつかの実施形態では、粒子状物質３５０（例えば、発泡体ビーズ）は、粒子状物質３５０ａがケーシング３００ａ内のすべての空隙を占めることを可能にするように、ケーシング３００ａ内にわずかに過充填（例えば、詰める）され、これによってケーシング３００ａは伸び、ケーシング３００ａの外壁３０８ａに実質的に均一で滑らかな表面形状をもたらす。
【００５５】
いくつかの実施形態では、小塊状ケーシング３００ａは、各々が対応する量の粒子状物質３５０を収容する２つ以上のポケットを画定することができる。１つ以上のポケットは、第１の端部３０２ａと第２の端部３０４ａとの間、且つソール構造２００ａの横側面部１８と中央側面部２０とのそれぞれの間で、ケーシング３００ａの長さに沿って延びる。図１２は、対応する量の粒子状物質３５０をそれぞれ収容するポケット３３０、３３２、３３４、３３６を画定するケーシング３００ａの概略上面図を示す。いくつかの例では、ケーシング３００ａの外壁３０８ａ及び／又は内壁（図示せず）の一部は、共に固定されてポケット３３０、３３２、３３４、３３６を画定する。いくつかの構成では、ケーシング３００ａは、ケーシング３００ａの長さに沿って配置され、横側面部１８と中央側面部２０との間でそれぞれ延びる１つ以上の折り目３１０ａ、３１２ａ、３１４ａを含む。第１の折り目３１０ａは、ソール構造２００ａの中足部１２に近接する中間点に対応する所定の位置に配置され、第２の折り目３１２ａは、ケーシング３００ａの中間点と第１の端部３０２ａとの間に配置され、第３の折り目３１４ａは、ケーシング３００ａの中間点と第２の端部３０４ａとの間に配置され得る。
【００５６】
ケーシング３００ａの壁は、ポケット３３０、３３２、３３４、３３６を形成するために、折り目３１０ａ、３１２ａ、３１４ａに固定されてもよい。したがって、足のつま先部分に対応するポケット３３０は、図１２において、ケーシング３００ａ内の第３の折り目３１４ａの右側に形成され、足の中足領域に対応するポケット３３２は、第１の折り目３１０ａと第３の折り目３１４ａとの間のケーシング３００ａに形成され、足のアーチ領域に対応するポケット３３４は、第１の折り目３１０ａと第２の折り目３１２ａとの間に形成され、足の踵領域に対応するポケット３３６は、図１２において、第２の折り目３１２ａの左側に形成され得る。いくつかの構成では、ケーシング３００ａは、折り目を追加または省略することによって、多かれ少なかれポケットを形成することができる。いくつかのシナリオでは、粒子状物質３５０がケーシング３３０ａを満たすと、ポケットが形成される。
【００５７】
いくつかの実施形態では、２つ以上のポケット３３０、３３２、３３４、３３６のそれぞれは、ほぼ同じ量の粒子状物質３５０（例えば、発泡体ビーズ）を含む。他の実施形態では、２つ以上のポケット３３０、３３２、３３４、３３６のうちの少なくとも１つは、異なる量の粒子状物質３５０を含む。例えば、より多くの量の粒子状物質３５０をポケット３３２、３３６に収容し、中足から踵の領域に軟質クッションのレベルをそれぞれ増加させることが好ましい。２つ以上のポケット３３０、３３２、３３４、３３６は、対応する量の粒子状物質３５０が隣接するポケットに移動するのをさらに制限することができる。しかし、対応するポケット３３０、３３２、３３４、３３６内に粒子状物質３５０の動きが許容されて、ソール構造２００ａの傾斜荷重負荷中に流体クッションが提供される。言い換えれば、２つ以上のポケット３３０、３３２、３３４、３３６は、ソール構造２００ａの繰り返し圧縮中の粒子状物質３５０の移動によって引き起こされるソール構造２００ａの領域におけるクッションの損失を防止するのに効果的であるが、各ポケット３３０、３３２、３３４、３３６内の粒子状物質３５０の移動を許容する。
【００５８】
いくつかの構成において、図１２に示すように、ケーシング３００ａの周囲の内側の中央領域は、縫合部１２２６によって固定され、キルティングまたは房状領域を形成することができる。一般に、横側面部１８と中央側面部２０とのそれぞれの間でソール構造２００ａの中心に向かってより高いレベルのクッションが望ましく、それによって、足の表面の大部分を支持し、足が発揮する負荷の大部分を受ける。加えて、グラウンド反発力を受ける間に足によって加えられる力は、粒子状物質３５０をケーシング３００ａの中心から外側に離れるようにシフトさせる可能性がある。ケーシング３００ａの壁を縫合部１２２６によって固定して、ケーシング３００ａの中心に近接したキルティングまたは房状領域を形成することによって、ケーシング３００ａの中心に向かって粒子状物質３５０の密度を上昇させ、適用された荷重がソール構造２００ａに負荷がかかる間に移動や外側へのズレから回避され得る。
【００５９】
図１３〜図１５に示すように、いくつかの実施形態では、履物用品１０ｂは、アッパー１００と、アッパー１００に取り付けられたソール構造２００ｂとを含む。履物用品１０ｂに関する履物用品１０に関連する構成要素の構造及び機能の実質的な類似性を考慮して、類似の参照番号を以下の図面において同様の構成要素を識別するために使用し、変更されたコンポーネントを識別するために使用される。
【００６０】
ソール構造２００ｂは、層状構造に配置されたアウトソール２１０ｂ及びミッドソール２２０ｂを含むことができる。アウトソール２１０ｂは、接地面２１２よりもアウトソール２１０ｂの反対側に配置される内面２１４ｂを含む。ミッドソール２２０ｂは、可撓性材料から形成されてよく、ミッドソール２２０ｂの反対側に配置される底面２２２ｂを含む。側壁２３０は、底面２２２ｂと内面２１４ｂとの間のキャビティ２４０ｂを画定する。側壁２３０は、キャビティ２４０ｂの深さを画定するために、底面２２２ｂと内面２１４ｂとを分離することができる。
【００６１】
いくつかの例では、縫合された折り目を有する小塊状ケーシング３００ｂは、粒子状物質３５０を収容し、ミッドソール２２０ｂとアウトソール２１０ｂとの間のキャビティ２４０ｂ内に存在し得る。ミッドソール２２０ｂは、図１〜図８のミッドソール２２０を形成する可撓性材料から形成されてもよい。これによって、ミッドソール２２０ｂに十分な可撓性を付与し、それにより、小塊状ケーシング３００ｂ内に配置され、キャビティ２４０ｂ内に存在する粒子状物質３５０が、ソール構造２００ｂの傾斜荷重負荷時に足の底面の特性と相互作用することを可能にする。図１４は、折り畳まれていない状態の、粒状物質３５０（例えば、発泡体ビーズ）を収容する小塊状ケーシング３００ｂの上面斜視図である。ケーシング３００ｂは、長手方向軸線Ｌに沿って第１の端部３０２ｂと第２の端部３０４ｂとの間に延びる長さを画定する。いくつかの構成では、ケーシング３００ｂは、ソール構造２００ｂの前足部１２に第１の幅Ｗ１を、ソール構造２００ｂの踵部１６に第２の幅Ｗ２を画定する。これらの構成では、第２の幅Ｗ２は第１の幅Ｗ１よりも大きい。ケーシング３００ｂは、第１の幅Ｗ１から中足部１４に近接する第２の幅Ｗ２に向かって先細りしてもよい。したがって、前足部１２に近接する中足部１４の部分は、第１の幅Ｗ１を含み、踵部１６に近接した中足部１４の残りの部分は、第１の幅Ｗ１と第２の幅Ｗ２との間で先細りになる幅を含み得る。同様に、踵部１６の中足部１４に近接する部分は、先細りの幅を含むことができる。さらに、いくつかの例では、ケーシング３００ｂの横テーパー部分３１８及び中央テーパー部分３２０は、第２の幅Ｗ２から内側に先細りし、第１の端部３０２ｂで終端し、それにより、ケーシングの第１の端部３０２ｂが、ソール構造２００ｂの踵領域の曲率に対応するために第１の幅Ｗ１と等しい。
【００６２】
図１４の例は、その長さに沿って１つまたは複数の折り目１４１０、１４１２、１４１４を有し、横側面部１８と中央側面部２０とのそれぞれの間の長手方向軸線Ｌにほぼ垂直に延びるケーシング３００ｂを示す。折り目１４１０、１４１２、１４１４は、縫合部または他の適切な固定技術によってケーシング３００ｂの壁を固定することによって形成することができる。例示的な構成では、折り目１４１０、１４１２、１４１４は、縫合された折り目である。折り目１４１０は、ケーシング３００ｂの中間点に近接する所定の位置に配置されてもよい。ケーシング３００ｂは、折り目１４１０の右側に第１の幅Ｗ１を画定することができ、折り目１４１０の左側の第２の幅Ｗ２に向かって外向きに先細りし始めることができる。折り目１４１４は、ケーシング３００ｂの中間点と第２の端部３０４ｂとの間に位置することができる。いくつかの例では、折り目１４１４は、中足部１４と前足部１２とを分離する。折り目１４１２は、ケーシング３００ｂの中間点と第１の端部３０４ｂとの間の踵部１６またはその付近に位置することができる。いくつかの例では、折り目１４１２は踵部１６の長さを半分に分割する。
【００６３】
さらに、図１４の例は、その長さの部分の間で長手方向軸線Ｌに実質的に平行に延びる１つ以上の折り目１４１６、１４１８、１４２０を有するケーシング３００ｂを示す。折り目１４１６、１４１８、１４２０は、縫合または他の適切な固定技術によってケーシング３００ｂの壁を固定することによって形成されてもよい。例示的な構成では、折り目１４１６、１４１８、１４２０は、縫合された折り目である。折り目１４１６は、前足部１２に配置され、第２の端部３０４ｂから垂直の折り目１４１４に向かって、横側面部１８２と中央側面部１８２０との間のケーシング３００ｂの中心を実質的に通って延びる。いくつかの例では、折り目１４１６は、垂直折り目１４１４の前で終わる。他の例では、折り目１４１６は、垂直折り目１４１４との接触点で終わる。したがって、折り目１４１６は、少なくとも前足部１２の幅の一部（例えば、第１の幅Ｗ１）を半分に分割し得る。
【００６４】
折り目１４１８及び折り目１４２０は、踵部１６及び前足部１４の一部に配置される。折り目１４１８は、ケーシング３００ｂの中心と側面１８との間でオフセットされ、第１の端部３０２ｂと垂直な折り目１４１０との間で、垂直な折り目１４１２を通って延びる。同様に、折り目１４２０は、ケーシング３００ｂの中心と中央側面部２０との間でオフセットされ、第１の端部３０２ｂと垂直な折り目１４１０との間で、垂直な折り目１４１２を通って延びる。したがって、折り目１４１８及び１４２０は、第１の端部３０２ｂと垂直な折り目１４１０との間のケーシング３００ｂの幅を３分の１に分割することができる。
【００６５】
いくつかの実施形態では、垂直折り目１４１０、１４１２、１４１４及び平行折り目１４１６、１４１８、１４２０は、それぞれ、横・中央側面部１８、２０と、第１及び第２の端部３０２ｂ、３０４ｂとそれぞれ連通し、それぞれ対応する量の粒子状物質３５０に各ポケットの間仕切りを画定する。横つま先ポケット１４５０は、平行折り目１４１６と垂直折り目１４１４と第２の端部３０４ｂと横側面部１８とによって形成され、中央つま先ポケット１４５２は、平行折り目１４１６と垂直の折り目１４１４と第２の端部３０４ｂと中央側面部２０によって形成され得る。横・中央つま先ポケット１４５０、１４５２は、それぞれ対応する量の粒子状物質３５０を含み、対応するポケット１４５０、１４５２の外側への移動を回避するように粒子状物質３６５の量を制限することができる。いくつかの例では、平行折り目１４１６と垂直折り目１４１０を分離する隙間を介して、隣接するポケット１４５０、１４５２の間で一部の粒子状物質３５０が移動可能である。ミッド・フット・ポケット１４５４は、垂直折り目１４１０、１４１４と横中央側面部１８、２０とによってそれぞれ形成されてもよい。ミッド・フット・ポケット１４５４は、対応するミッド・フット・ポケット１４５４の外側への移動が制限された多数の粒子状物質３５０を収容することができる。
【００６６】
ケーシング３００ｂの踵部１６を参照すると、より大きい第２の幅Ｗ２は、横側面部１８における２つの横ヒール・ポケット１４５６、１４５８と、中央側面部２０における２つの中ヒール・ポケット１４６０、１４６２と、それらの間に配置された２つの中央ヒール・ポケット１４６４、１４６６を含む。ポケット１４５６〜１４６２はそれぞれ、対応するポケット１４５６〜１４６２の外側に移動することを制限された多数の粒子状物質３５０を収容することができる。第１の横ヒール・ポケット１４５６は、第１の端部３０２ｂと横テーパー部３１８と横側面部１８と垂直折り目１４１２と平行折り目１４１８とによって形成され、第２の横ヒール・ポケット１４５８は、垂直折り目１４１２と横側面部１８と垂直折り目１４１０と平行折り目１４１８とによって形成される。第１の中ヒール・ポケット１４６０は、第１の端部３０２ｂと中央テーパー部３２０と中央側面部２０と垂直折り目１４１２と平行折り目１４２０とによって形成され、第２の中ヒール・ポケット１４６２は、垂直折り目１４１２と中央側面部２０と垂直折り目１４１０と平行折り目１４２０とによって形成される。第１の中央ヒール・ポケット１４６４は、第１の端部３０２ｂと平行折り目１４１８、１４２０と垂直折り目１４１２とによって形成され、第２の中央ヒール・ポケット１４６６は、垂直折り目１４１２、１４１０と平行折り目１４１８、１４２０とによって形成される。
【００６７】
いくつかの構成では、ケーシング３００ｂ内に形成された各ポケット１４５０〜１４６２は、略同じ量の粒子状物質３５０（例えば、発泡体ビーズ）を含む。しかしながら、他の構成では、一つ又はそれ以上のポケット１４５０〜１４６２は、異なる量の粒子状物質３５０を含む。例えば、中央ヒール・ポケット１４６４、１４６６は、横ヒール・ポケット１４５６、１４５８、中ヒール・ポケット１４６０、１４６２よりも多くの粒子状物質３５０を含んでいてもよい。いくつかのシナリオでは、踵部１６におけるより大きい第２の幅Ｗ２は、より多くの量の粒子状物質３５０を許容することによってクッションのレベルを増加させることを可能にする一方で、それぞれのヒール・ポケット１４５６〜１４６２は、その中に存在する対応する量の粒子状物質３５０の移動を制限するために比較的小さな容積容量を画定し得る。逆に、前足部ポケット１４５０、１４５２は、踵部１６と前足部１２との間でアウトソール２１０ｂの接地面２１２が地面との接触のために転動する傾斜荷重負荷時に、前足部ポケット１４５０、１４５２内に存在する粒子状物質の対応する量が移動できるように比較的大きな容積を画定し得る。
【００６８】
各ポケットの形成による寄与に加え、縫合された折り目１４１０〜１４２０は、ケーシング３００ｂがキャビティ２４０ｂ内に配置されるように適合させ、履物１０ｂの使用中に望ましいクッション特性を達成することができる。図１５に示すように、アウトソール２１０ｂの上部斜視図は、アウトソール２１０ｂのキャビティ２４０ｂ内に縫合された折り目の周りに折り畳まれたケーシング３００ｂを示す。ケーシング３００ｂは、ケーシング３００ｂの第２の端部３０４ｂに近接した先端に向かってソール構造２００ｂの狭い輪郭に適合することを可能にするために、前足部１２において平行な折り目１４１６の周りに折り畳まれ得る。踵部１６において、ケーシング３００ｂは、平行な折り目１４１８、１４２０のそれぞれの周りに折り畳まれてもよい。例えば、ケーシング３００ｂが折り目１４１８、１４２０の周りに折り畳まれるか又は湾曲されてキャビティ２４０ｂ内に配置されたとき、中央ヒール・ポケット１４６５、１４６６がアウトソール２１０ｂの内面２１４ｂからわずかに突出するようにケーシング３００ｂは輪郭を画定する。いくつかの実施例では、１つ又はそれ以上の横・中ヒール・ポケット１４５６、１４５８、１４６０、１４６２の少なくとも一部が、中央ヒール・ポケット１４６４、１４６６の少なくとも１つの下に押し込まれて、クッションの付加的な層を作り出すことができる。前足部ポケット１４５４は、ケーシング３００ｂが前足部１４のキャビティ２４０ｂ内に所望の嵌合を達成するように、追加的に湾曲され得る。
【００６９】
図１６〜１９に示すように、いくつかの実施形態では、履物用品１０ｃは、アッパー１００と、アッパー１００に取り付けられたソール構造２００ｃとを含む。履物用品１０に関連する構成要素の構造及び機能の実質的な類似性に基づき、履物用品１０ｃには、同様の参照番号が同様の構成要素を識別するために図面及び以下の説明に使用され、文字拡張子を含む同様の参照番号が、変更された構成要素を識別するために使用される。
【００７０】
ソール構造２００ｃは、層状構造に配置されたアウトソール２１０ｃ及びミッドソール２２０ｃを含み得る。アウトソール２１０ｃは、接地面２１２の反対側のアウトソール２１０ｃに配置される内部インナー２１４ｃを含む。ミッドソール２２０ｃは、可撓性材料から形成され、フットベッド２２４の反対側のミッドソール２２０ｃに配置される底面２２２ｃを含む。側壁２３０は、底面２２２ｃと内面２１４ｃとの間のキャビティ２４０ｃを画定する。側壁２３０は、底面２２２ｃと内面２１４ｃとを分離し、キャビティ２４０ｃの深さを画定する。
【００７１】
いくつかの構成では、粒子状物質３５０を含むケーシング３００ｃがキャビティ２４０ｃ内に存在し、履物１０ｃの使用時に足にクッションを提供する。ケーシング３００ｃは、第１の端部３０２ｃと第２の端部３０４ｃとの間に延びる長さを画定し得る。ケーシング３００ｃの長さは、長手方向軸Ｌに沿って延びるアウトソール２１０ｃの長さより大きくてもよい。ケーシング３００ｃ及びキャビティ２４０ｃ内に存在する粒子状物質３５０（例えば、発泡体ビーズ）は、従来のミッドソールが提供する機能及びクッション性を増加させるために協働することができる。
【００７２】
図１７は、履物用品１０ｃの分解図で、アウトソール２１０ｃの側壁２３０とミッドソール２２０ｃの底面２２２ｃとの間のキャビティ２４０ｃ内に受容され、粒子状物質３５０を収容するケーシング３００ｃを示す。この例では、ケーシング３００ｃは、その長さに沿った所定の位置に第１の折り目３１０ｃを含む。具体的には、所定の位置における第１折り目３１０ｃは、ケーシング３００ｃの中間点に相当する。図１７に示すように、ケーシング３００ｃが中間点３１０ｃに対応する所定の位置で折り畳まれたときに、ケーシング３００ｃの第１の端部３０２ｃが、アウトソール２１０ｃの内面２１４ｃのキャビティ２４０ｃ内のケーシング３００ｃの第２の端部３０４ｃに近接して配置されている。ケーシング３００ｃは、その中間点３１０ｃに第１の高さＨ１を画定し、第１の端部３０２ｃ及び第２の端部３０４ｃのそれぞれで第１の高さＨ１より小さい第２のＨ２を画定する。したがって、ケーシング３００ｃは、第１の高さＨ１を有する中間点３１０ｃから、低減された第２の高さＨ２を有する第１の端部３０２ｃ及び第２の端部３０４ｃに向かってそれぞれ先細になる。換言すれば、ケーシング３００ｃは、中間点３１０ｃにおける断面積を含み、断面積は第１、第２の端部３０２ｃ、３０４ｃのそれぞれへの方向にその距離に応じて徐々に減少する。それによって、ケーシング３００ｃは、第１の端部３０２ｃ及び第２の端部３０４ｃにそれぞれ近接するケーシング３００ｃによって含有される粒子状物質３５０の量よりも多くの粒子状物質３５０を、中間点３１０ｃに近接する場所において収容することができる。
【００７３】
図１８はアウトソール２１０ｃの上面斜視図であって、粒子状物質３５０を収容し、その中間点に第１の折り目３１０ｃを含み、内面２１４ｃのキャビティ２４０ｃ内に配置されたケーシング３００ｃを示す。いくつかの例では、中間点３１０ｃと第１の端部３０２ｃとの間のケーシング３００ｃは、側壁２３０の横側面部１８によって境界が定められ、中間点３１０ｃと第２の端部３０４ｃとの間のケーシング３００ｃは、側壁２３０の中央側面部２０によって境界が定められる。ケーシング３００ｃ内に存在する粒子状物質３５０は、ソール構造２００ｃの各部分１２、１４、１６の１つ以上で圧縮し、傾斜荷重負荷時のグラウンド反発力を減衰させることができる。いくつかの例では、ケーシング３００ｃは可撓性材料から形成される。ケーシング３００ｃは、メッシュ材料から任意に形成することができる。それに加えて、またはこれに代えて、ケーシング３００ｃは、ナイロン材料から形成されてもよい。したがって、ケーシング３００ｃは、可撓性材料、メッシュ材料、及び／又はナイロン材料のうちの１つ以上から形成されてもよい。ケーシング３００ｃは、任意選択的に、受容された粒子状物質３５０が、内面２１４ｃ及び底面２２２ｃのそれぞれの表面特性や側壁２３０の輪郭のようなソール構造２００ｃに適合することを可能にする任意の適切な材料から形成されてもよい。
【００７４】
ミッドソール２２０ｃは、ミッドソール２２０ｃに十分な柔軟性を付与する、図１〜図８のミッドソール２２０を形成する可撓性材料から形成されてもよい。これにより、ソール構造２００ｃの傾斜荷重負荷中に、ケーシング３００ｃ内に配置され、キャビティ２４０ｃに存在する粒子状物質３５０を、足の底面の特性と相互作用させることができる。
【００７５】
ケーシング３００ｃは、中間点３１０ｃで折り畳まれてキャビティ２４０ｃ内に配置されると、ソール構造２００ｃの踵部１６における第１の高さＨ１から、ソール構造２００ｃの前足部１２における第２の高さＨ２に向けて先細るテーパー状に形成される。したがって、より多くの量の粒子状物質３５０が踵部１６のケーシング３００ｃ内に存在し、クッションのレベルを高めることができる。ケーシング３００ｃの長さに沿った異なる部分は、キャビティ２４０ｃの一部または全部を満たすことができる。例えば、第１の高さＨ１を有する踵部１６に近接するキャビティ２４０ｃ内に配置されたケーシング３００ｃは、側壁２３０の高さを超えることができる。他の例では、第１の高さＨ１のケーシング３００ｃは、側壁２３０の高さと同じ又はそれより低くても良い。上述したように、ケーシング３００ｃは、中間点３１０ｃから前足部１２に近接して第２の高さＨ２を有するキャビティ２４０ｃ内に配置された各端部３０２ｃ、３０４ｃに向かって先細になっている。いくつかの例では、第２の高さＨ２を有する各端部３０２ｃ、３０４ｃのケーシング３００ｃは、側壁２３０の高さを超える。他の例では、第２の高さＨ２を有する各端部３０２ｃ、３０４ｃのケーシングは、側壁２３０の高さと同じ又はそれより低くても良い。ケーシング３００ｃの少なくとも一部の高さが側壁の高さを超える場合（例えば、キャビティ２４０ｃの深さを超える場合）の例において、ソール構造２００ｃが組み立てられたとき、粒子状物質３５０を収容するケーシング３００ｃは、アウトソール２１０ｃの内面２１４ｃとミッドソール２２０ｃの底面２２２ｃとの間で圧縮される。
【００７６】
図１８はケーシング３００ｃを示し、アウトソール２１０ｃの内面２１４ｃとミッドソール２２０ｃの底面２２２ｃとの間に内部空隙１８４０を囲む、キャビティ２４０ｃ内に配置されている。いくつかの実施形態では、少なくとも１つの追加のケーシングがキャビティ２４０ｃ内に配置され、ケーシング３００ｃによって囲まれた内部空隙１８４０を少なくとも部分的に充填するようにその中に配置される。いくつかの例では、追加のケーシングは、図９〜図１２の小塊状ケーシング３００ａと同様の、粒子状物質３５０を収容する小塊状ケーシングを含み得る。例えば、小塊状ケーシングは、内面２１４ｃと底面２２２ｃとの間の内部空隙１８４０内に存在し、ケーシング３００ｃによって境界を定められるのに十分な大きさ及び形状を含むことができる。他の例では、粒子状物質３５０を収容する追加のケーシングは、ケーシング３００ｃと同様のケーシングを含むことができる。例えば、追加のケーシングは、ケーシング３００ｃの長さよりも短い長さを画定することができ、付加的なケーシングがその中間点の周りで折り畳まれたとき、追加のケーシングは、内面２１４ｃと底面２２２ｃとの間の内部空隙１８４０内に位置し、ケーシング３００ｃによって境界を定められている。これらの例では、ケーシングは、ケーシング３００ｃに関して上述したように、その中間点から反対側の端部に向かって先細になっていてもよい。随意的に、ゆるい粒子状物質３５０をキャビティ２４０ｃ内に配置して、ケーシング３００ｃによって囲まれた内部空隙１８４０を少なくとも部分的に充填することができる。したがって、粒子状物質３５０及び／又はゆるい粒子状物質３５０を収容する追加のケーシングで内部空隙１８４０を少なくとも部分的に充填することによって、履物１０ｃの使用時に、軟質クッションのレベルはその近くの領域において強化され得る。
【００７７】
図１９は履物用品１０ｃのケーシング３００ｃの斜視図であって、粒子状物質３５０を含み、ケーシング３００ｃが折り畳まれていない状態にあるとき、その中間点（例えば、所定位置）に位置する第１折り目３１０ｃを含むケーシング３００ｃを示す。ケーシング３００ｃが折り畳まれてキャビティ２４０ｃ内に配置されると、ソール構造２００ｃによる繰り返しの圧縮によって、ケーシング３００ｃ内の粒子状物質３５０の移動に応答して、第１の折り目３１０ｃが緩んだり、ほぐされたり、部分的に開かれる。これらのシナリオの下では、粒子状物質３５０は、中間点３１０ｃの一方の側から中間点３１０ｃの他方の側に移動することができ、その結果、ケーシング３００ｃ内に存在する粒子状物質３５０の不均一な分布３００ｃによってクッション性をほとんど提供しない。いくつかの実施形態では、第１の折り目３１０ｃの展開を防止するために、ケーシング３００ｃは、第１の折り目３１０ｃに対応する所定の位置（例えば、中間点）を画定するための縫合部９２６を含む。上述した図１〜６の履物用品１０と同様に、ケーシング３００ｃの壁の１つ以上の部分は、所定の位置（例えば、中間点）を画定し、第１の折り目３１０ｃを維持するために、縫合部９２６または他の固定技術によって共に固定されてもよい。中間点で第１の折り目３１０ｃを固定することにより、粒子状物質３５０がケーシング３００ｃの中間点を横切ってケーシング３００ｃ全体にわたって自由に移動することが制限され、ケーシング３００ｃの湾曲や、ひいてはケーシング３００ｃのキャビティ２４０ｃへの組み立てが容易になる。
【００７８】
いくつかの実施形態では、粒子状物質３５０（例えば、発泡体ビーズ）は、ケーシング３００ｃ内に封入された全ての空隙を粒子状物質３５０が占めるように、ケーシング３００ｃをわずかに過充填する（例えば、詰める）ことにより、ケーシング３００ｃが延びて実質的に均一で滑らかな表面形状がもたらされる。ケーシング３００は、いくつかの構成では、実質的に矩形の断面を有することができる。しかしながら、他の構成では、ケーシング３００ｃは、円形、三角形、または多角形の断面を有することができる。いくつかの構成では、ケーシング３００ｃは、図７に示すように、粒子状物質３５０を囲む１つの内部領域を画定する。他の構成では、ケーシング３００ｃは、図８に示すように、粒子状物質３５０の対応する量を包囲する２つ以上の内部領域を画定するための１つ又はそれ以上の間仕切りを含む。任意選択で、ケーシング３００ｃは、その長さに沿ったいくつかの部分に単一の内部領域を含み、その長さに沿った他の部分に２つ又はそれ以上の内部領域を画定することもできる。
【００７９】
図２０〜図２２に示すように、いくつかの実施形態では、履物用品１０ｄは、アッパー１００と、アッパー１００に取り付けられたソール構造２００ｄとを含む。履物用品１０ｄに関する履物用品１０に関連する構成要素の構造及び機能の実質的な類似性を考慮して、類似の参照番号を同様の構成要素を識別するために図面で使用し、文字拡張子を含む同様の参照番号が、変更された構成要素を識別するために使用される。
【００８０】
ソール構造２００ｄは、層状構造に配置されたアウトソール２１０ｄ及びミッドソール２２０ｄを含み得る。アウトソール２１０ｄは、接地面２１２の反対側のアウトソール２１０ｄに配置される内部インナー２１４ｄを含む。ミッドソール２２０ｄは、可撓性材料から形成され、フットベッド２２４の反対側のミッドソール２２０ｄに配置される底面２２２ｄを含む。側壁２３０は、底面２２２ｄと内面２１４ｄとの間のキャビティ２４０ｄを画定する。側壁２３０は、底面２２２ｄと内面２１４ｄとを分離し、キャビティ２４０ｄの深さを画定する。
【００８１】
いくつかの構成では、粒子状物質３５０をそれぞれ含む管状ケーシング３００ｄがキャビティ２４０ｄ内に配置されている。管状ケーシング３００ｄは、２つ以上のケーシングが積重ねまたは層状に構成されたグループでキャビティ２４０内に配置され得る。例えば、１つ又はそれ以上の管状ケーシング３００ｄをアウトソール２１０ｄの内面２１４ｄ上に配置することができ、キャビティ２４０ｄを少なくとも部分的に満たす２つ以上の層を形成するように、他の管状ケーシング３００ｄを互いの上に配置することができる。図２１は履物用品１０ｄの分解図であって、前足部１２、中足部１２、及び踵部１６のうちの１つ以上の少なくとも一部を通る長手方向軸線Ｌに沿って延びる長さを有する管状ケーシング３００ｄを示す。しかしながら、他の構成では、管状ケーシング３００ｄは、長手方向軸Ｌに対して垂直に延びる長さを有することができる。複数の管状ケーシング３００ｄは、長さが均一であり得るか、又はケーシング３００ｄの少なくとも１つが、異なる長さを有する。図２１は、３つの管状ケーシング３００ｄを積み重ねた状態の３つのグループを示しており、ケーシング３００ｄは、ミッドソール２２０ｄ及びアウトソール２１０ｄの輪郭とほぼ一致する大きさ及び形状を有する。
【００８２】
それぞれの管状ケーシング３００ｄは、粒子状物質３５０で満たされたときに、キャビティ２４０ｄを少なくとも部分的に充填する容積も含む。さらに、各管状ケーシング３００ｄは、断面積を規定する。それぞれの管状ケーシング３００ｄの容積及び断面積は同じであってもよく、または少なくとも１つの管状ケーシング３００ｄは異なる容積及び断面積を有してもよい。いくつかの例では、断面積は、管状ケーシング３００ｄの１つ以上の長さにわたって変化してもよく（例えば、テーパー状を介する）、粒子状物質３５０の量が所定の管状ケーシング３００ｄの長さに沿って変化することを可能にする。
【００８３】
粒子状物質３５０の移動は各管状ケーシング３００ｄの長さに沿って許容され、ソール構造２００ｄの傾斜荷重負荷時に流体クッションをもたらすことができる。各管状ケーシング３００ｄの断面積及び／又は容積を調整することにより、そこに存在することが許容される粒子状物質３００ｄの量が規定される。例えば、踵部１６に近接して配置された管状ケーシング３００ｄ内に、より多くの量の粒子状物質３５０を含めることが望ましく、足の踵領域における軟質クッションのレベルを高めることができる。したがって、各管状ケーシング３００ｄに存在する粒子状物質３００ｄの量を変えることによって、ケーシング３００ｄがキャビティ２４０ｄ内にどのように配置されるか（例えば、積み重ね、積層され）に加えて、望ましい程度の軟質クッションが、歩行または走行中などのソール構造２００ｄの傾斜荷重負荷時に、履物１０ｄの着用者によって感じられるグラウンド反発力を減衰させるように設定される。
【００８４】
ミッドソール２２０ｄは、ミッドソール２２０ｄに十分な柔軟性を付与する、図１〜図８のミッドソール２２０を形成する可撓性材料から形成されてもよい。これにより、ソール構造２００ｄの傾斜荷重負荷中に、ケーシング３００ｄ内に配置され、キャビティ２４０ｄに存在する粒子状物質３５０を、足の底面の特性と相互作用させることができる。
【００８５】
いくつかの実施形態では、管状ケーシング３００ｄは、ケーシング３００ｄが互いに独立して移動するのを制限するように共に締結または固定される。他の例では、管状ケーシング３００ｄの少なくとも１つは、他の管状ケーシング３００ｄに対して自由に移動可能である。いくつかの構成では、単一の管状ケーシング３００ｄは、アウトソール２１０ｄの長さよりも長く、そのため、管状ケーシング３００ｄが、横側面部１８と中央側面部２０の間でアウトソール２１０ｄの内面２１３ｄに重なるように、管状ケーシング３００ｄが湾曲し、ねじられ、または巻き付けられる。これらの構成では、追加の管状ケーシング３００ｄを上に重ねて、少なくとも部分的にキャビティ２４０ｄを充填することができる。
【００８６】
図２２は、図２０の線２２−２２で切った断面図で、積層構造に配置された複数の管状ケーシング３００ｄであって、底面２２２ｄと内面２１４ｄとの間で側壁２３０によって境界が定まっているキャビティ２４０ｄ内に受容された複数の管状ケーシング３００ｄを示す。各管状ケーシング３００ｄは多数の粒子状物質３５０を収容し、その中に存在する粒子状物質３５０を包囲し囲む内壁を含む。各管状ケーシング３００ｄ内に存在する粒子状物質３５０は、ソール構造２００ｄの各部分１２、１４、１６のうちの１つ以上で圧縮され、傾斜荷重負時のグラウンド反発力を減衰させることができる。いくつかの例では、管状ケーシング３００ｄは可撓性材料から形成される。可撓性材料は、管状ケーシング３００ｄの１つ以上がコイル状にされ得るように十分な可撓性を提供し得る。例えば、各管状ケーシング３００ｄは、図１〜図８の管状ケーシング３００を形成するメッシュ材料及び／又はナイロン材料から形成することができる。したがって、各管状ケーシング３００ｄは、受容された粒子状物質３５０が、底面２１４ｄ、２２２ｄのそれぞれの表面特性や側壁２３０の輪郭のようなソール構造２００ｄに適合することを許容する。
【００８７】
粒状物質３５０を受容するための管状ケーシング３００ｄの各々によって画定される容積は、図１〜図１９を参照して上述したケーシング３００、３００ａ、３００ｂ、３００ｃのそれぞれによって規定される容積よりも小さい。換言すれば、各管状ケーシング３００ｄは、前述のケーシング３００、３００ａ、３００ｂ、３００ｃ内のそれぞれに存在する粒子状物質３５０の量と比較して、より少量の粒子状物質３５０を含む。しかしながら、キャビティ２４０ｄ内に配置された全ての管状ケーシング３００ｄの中に含まれる粒子状物質３５０の合計量は、上述の各ケーシング３００、３００ａ、３００ｂ、３００ｃ内のそれぞれに存在する粒子状物質３５０の量のそれぞれの量と実質的に等しくてもよい。したがって、管状ケーシング３００ｄによって規定される体積が小さいほど、ソール構造２００ｄが圧縮した後に対応する粒子状物質３５０の量が移動またはシフトする程度が制限され、ソール構造２００ｄ全体にわたる粒子状物質３５０の不均一な分布が防止される。
【００８８】
図２３〜図２５に示すように、いくつかの実施形態では、履物用品１０ｅは、アッパー１００と、アッパー１００に取り付けられたソール構造２００ｅとを含む。履物用品１０ｅに関する履物用品１０に関連する構成要素の構造及び機能の実質的な類似性を考慮して、類似の参照番号を同様の構成要素を識別するために図面で使用し、文字拡張子を含む同様の参照番号が、変更された構成要素を識別するために使用される。
【００８９】
ソール構造２００ｅは、層状構造に配置されたアウトソール２１０ｅ及びミッドソール２２０ｅを含み得る。アウトソール２１０ｅは、接地面２１２の反対側のアウトソール２１０ｅに配置される内部インナー２１４ｅを含む。ミッドソール２２０ｅは、可撓性材料から形成され、フットベッド２２４の反対側のミッドソール２２０ｅに配置される底面２２２ｅを含む。側壁２３０は、底面２２２ｅと内面２１４ｅとの間のキャビティ２４０ｅを画定する。側壁２３０は、底面２２２ｅと内面２１４ｅとを分離し、キャビティ２４０ｅの深さを画定する。
【００９０】
いくつかの構成では、粒子状物質３５０をそれぞれ含む複数の管状ケーシング３００ｅが、織込または編込構成において、キャビティ２４０ｅ内に存在し得る。例えば、２つ以上の管状ケーシング３００ｅの１つ又はそれ以上のグループを共に編込み、アウトソール２１０ｅの内面２１４ｅに配置して、キャビティ２４０ｅを少なくとも部分的に満たすことができる。図２４は履物用品１０ｅの分解図であって、前足部１２、中足部１２、及び踵部１６のうちの１つ以上の少なくとも一部を通る長手方向軸線Ｌに沿って延びる長さを有する管状ケーシング３００ｅを示す。ケーシング３００ｅは、織込または編込する前にアウトソール２１０ｅの長さよりも長い長さを含み得る。２つ又はそれ以上の管状ケーシング３００ｅを一緒に織込または編込すると、ケーシング３００ｅはアウトソール２１０ｅの内面２１４ｅ上に位置し得る。いくつかの例では、管状ケーシング３００ｅは、管状ケーシング３００ｅと内面２１４ｅ、底面２２２ｅ、及び側壁２３０との間に締り嵌めを提供するために、キャビティ２４０ｅ内に詰め込まれてもよい。複数のケーシング３００ｅの長さを均一化してもよく、少なくとも一つのケーシング３００ｅの長さを異ならせてもよい。図２４は、３つの管状ケーシング３００ｅの編込構成を有する２つのグループを示しており、管状ケーシング３００ｅの編込構成は、ミッドソール２２０ｅ及びアウトソール２１０ｅの輪郭にほぼ一致する大きさ及び形状を有し得る。
【００９１】
それぞれの管状ケーシング３００ｅは、粒子状物質３５０で満たされたときに、キャビティ２４０ｅを少なくとも部分的に充填する容積も含む。さらに、各管状ケーシング３００ｅは、断面積を規定する。それぞれの管状ケーシング３００ｅの容積及び断面積は同じであってもよく、または少なくとも１つの管状ケーシング３００ｅは異なる容積及び断面積を有してもよい。いくつかの例では、断面積は、管状ケーシング３００ｅの１つ以上の長さにわたってテーパー状に変化してもよい。例えば、踵部１６に近接して配置された管状ケーシング３００ｅ内に、より多くの量の粒子状物質３５０を含めることが望ましく、足の踵領域における軟質クッションのレベルを高めることができる。いくつかの実施形態では、管状ケーシング３００ｅを１つ又はそれ以上の位置で共に締結または固定することによって、編込みが緩むまたは解かれることを制限することができる。追加的または代替的に、編込式管状ケーシング３００ｅの各グループは、グループが互いに独立して動くことを制限するために共に締結または固定されてもよい。他の例では、編込式管状ケーシング３００ｅの１つ又はそれ以上のグループが互いに自由に移動可能である。
【００９２】
図２５は、図２３の線２５−２５で切った断面図で、積層構造に配置された複数の管状ケーシング３００ｅであって、底面２２２ｅと内面２１４ｅとの間で側壁２３０によって境界が定まっているキャビティ２４０ｅ内に受容された複数の管状ケーシング３００ｅを示す。各管状ケーシング３００ｅは多数の粒子状物質３５０を収容し、その中に存在する粒子状物質３５０を包囲し囲む内壁を含む。各管状ケーシング３００ｅ内に存在する粒子状物質３５０は、ソール構造２００ｅの各部分１２、１４、１６のうちの１つ以上で圧縮され、傾斜荷重負時のグラウンド反発力を減衰させることができる。いくつかの例では、管状ケーシング３００ｅは、織込または編込みに十分な可撓性を各管状ケーシング３００ｅにもたらす可撓性材料から形成される。例えば、各管状ケーシング３００ｅは、図１〜図８の管状ケーシング３００を形成するメッシュ材料及び／又はナイロン材料から形成することができる。したがって、各管状ケーシング３００ｅは、受容された粒子状物質３５０が、底面２１４ｅ、２２２ｅのそれぞれの表面特性や側壁２３０の輪郭のようなソール構造２００ｅに適合することを許容する。
【００９３】
ミッドソール２２０ｅは、ミッドソール２２０ｅに十分な柔軟性を付与する、図１〜図８のミッドソール２２０を形成する可撓性材料から形成されてもよい。これにより、ソール構造２００ｅの傾斜荷重負荷中に、ケーシング３００ｅ内に配置され、キャビティ２４０ｅに存在する粒子状物質３５０を、足の底面の特性と相互作用させることができる。
【００９４】
粒状物質３５０を受容するための管状ケーシング３００ｅの各々によって画定される容積は、図１〜図１９を参照して上述したケーシング３００、３００ａ、３００ｂ、３００ｃのそれぞれによって規定される容積よりも小さい。換言すれば、各管状ケーシング３００ｅは、前述のケーシング３００、３００ａ、３００ｂ、３００ｃ内のそれぞれに存在する粒子状物質３５０の量と比較して、より少量の粒子状物質３５０を含む。しかしながら、キャビティ２４０ｅ内に配置された全ての管状ケーシング３００ｅの中に含まれる粒子状物質３５０の合計量は、上述の各ケーシング３００、３００ａ、３００ｂ、３００ｃ内のそれぞれに存在する粒子状物質３５０の量のそれぞれの量と実質的に等しくてもよい。したがって、管状ケーシング３００ｅによって規定される体積が小さいほど、ソール構造２００ｅが圧縮した後に対応する粒子状物質３５０の量が移動またはシフトする程度が制限され、ソール構造２００ｅ全体にわたる粒子状物質３５０の不均一な分布が防止される。さらに、複数の管状ケーシング３００ｅの編込構成は、各管状ケーシング３００ｅがその全長に沿って屈曲して振動することを必要とするので、各管状ケーシング３００ｅの長さに沿った屈曲及び振動は、その中に存在する粒子状物質３５０による解放された移動を制限する境界を生じさせる。
【００９５】
図２６〜図２８に示すように、いくつかの実施形態では、履物用品１０ｆは、アッパー１００と、アッパー１００に取り付けられたソール構造２００ｆとを含む。履物用品１０ｆに関する履物用品１０に関連する構成要素の構造及び機能の実質的な類似性を考慮して、類似の参照番号を同様の構成要素を識別するために図面で使用し、文字拡張子を含む同様の参照番号が、変更された構成要素を識別するために使用される。
【００９６】
ソール構造２００ｆは、層状構造に配置されたアウトソール２１０ｆ及びミッドソール２２０ｆを含み得る。アウトソール２１０ｆは、接地面２１２の反対側のアウトソール２１０ｆに配置される内部インナー２１４ｆを含む。ミッドソール２２０ｆは、可撓性材料から形成され、フットベッド２２４の反対側のミッドソール２２０ｆに配置される底面２２２ｆを含む。側壁２３０は、底面２２２ｆと内面２１４ｆとの間のキャビティ２４０ｆを画定する。側壁２３０は、底面２２２ｆと内面２１４ｆとを分離し、キャビティ２４０ｆの深さを画定する。
【００９７】
いくつかの実施態様では、粒子状物質３５０を収容する房状ケーシング３００ｆ及びクッション層４００がキャビティ２４０ｆ内に存在する。図２７は履物用品１０ｆの分解図で、縦軸Ｌに沿って延在する長さと、横側面部１８と中央側面部２０との間でそれぞれ広がる幅と、を有する、房状ケーシング３００ｆ及びクッション層４００を示す。房状ケーシング３００ｆ及びクッション層４００は、ミッドソール２２０ｆ及びアウトソール２１０ｆの輪郭に実質的に一致するような大きさ及び形状にすることができる。クッション層４００は、ソール構造２００ｆが組み立てられると、アウトソール２１０ｆの内面２１４ｆと房状ケーシング３００ｆとの間に接触して配設され得る。クッション層４００は、クッション層４００の表面に沿って複数の隆起部４１０を形成し、卵形を画定する輪郭構造を含むことができる。クッション層４００は、エチルビニルアセテートまたはポリウレタンのような１つまたは複数のポリマーフォーム材料から形成することができる。いくつかの構成では、接地面２１２ｆは、アウトソール２１０ｆの内面２１４ｆからキャビティ２４０ｆ内に延びる複数の突出部４２０を形成する凹みを含む。各突出部４２０は、アウトソール２１０ｆに対向するクッション層４００の対応する隆起部４１０と位置合わせされてもよい。
【００９８】
いくつかの実施形態では、房状ケーシング３００ｆは、図１〜図８の管状ケーシング３００を形成するメッシュ材料及び／又はナイロン材料のような可撓性材料から形成される。房状ケーシング３００ｆの第１の端部３０２ｆは、踵部１６に近接して位置し、房状ケーシング３００ｆの第２の端部３０４ｆは、ケーシング３００ｆがクッション層４００の上に横たわるとき、前足部１２の近くに位置する。タフテッドケーシング３００ｆは、クッション層４００の頂部輪郭表面上に配置されてもよい。房状ケーシング３００ｆは、ケーシング３００ｆの周囲の内側の中央領域を房状に、接合または固定して形成することができ、それぞれが対応する量の粒子状物質で充填された房状領域またはポケット３４０を画定する。ポケット３４０は、第１の端部３０２ｆと第２の端部３０４ｆとの間だけでなく、ソール構造２００ｆの横側面部１８と中央側面部２０との間でケーシング３００ｆの長さに沿って延びることができる。いくつかの例では、各ポケット３４０は、ほぼ同じ量の粒子状物質３５０を含み、他の例では、ポケット３４０の少なくとも１つは、異なる量の粒子状物質３５０を含む。例えば、足の踵領域における軟質クッションのレベルを増加させるために、踵部１６に近接して位置するポケット３４０内に多量の粒子状物質３５０を含めることが望ましい場合がある。
【００９９】
ミッドソール２２０ｆは、ミッドソール２２０ｆに十分な柔軟性をもたらす、図１〜図８のミッドソール２２０を形成する可撓性材料から形成されてもよい。これにより、各ポケット３４０内に配置され、キャビティ２４０ｆ内に存在する粒子状物質３５０が、ソール構造２００ｆの傾斜荷重負荷時に足の底面の特性と相互作用することを可能にする。
【０１００】
ポケット３４０は、房状ケーシング３００ｆ全体にわたる粒子状物質３５０の動き及び移動を抑制することができる。例えば、ポケット３４０は、隣接するポケット３４０間の粒子状物質３５０の自由な動きを抑制するのに十分な間隙を有する壁を画定することができる。いくつかの例では、ポケット３４０は、部分的に開放された壁を含むので、ソール構造２００ｆの傾斜荷重負荷時に、隣接するポケット３４０間で粒子状物質３５０のいくつかの運動が生じ得る。他の例では、ポケット３４０は閉鎖壁を含み、ソール構造２００ｆの傾斜荷重負荷時に、対応する量の粒子状物質３５０が隣接するポケットに移動することが制限される。しかしながら、これらの実施例では、粒子状物質３５０のいくらかの動きが対応するポケット３４０内で許容され、ソール構造２００ｆの傾斜荷重負荷時に流体性クッションを提供する。言い換えれば、ポケット３４０は、ソール構造２００ｆの繰り返し圧縮時の粒子状物質３５０の移動に起因するソール構造２００ｆの領域におけるクッションの損失を防止するのに有効であるが、各ポケット３４０内の粒子状物質３５０の移動を許容する。
【０１０１】
図２８は、図２６の線２８−２８で切った断面図であって、粒子状物質３５０を含む房状ケーシング３００ｆと、側壁２３０と底面２２２ｆと内面２１４ｆとの間で側壁２３０によって仕切られたキャビティ２４０ｆ内に受容されたクッション層４００と、が示される。また、図２８は、アウトソール２１０ｆに対向するクッション層４００の各隆起部４１０が、接地面２１２ｆの窪みによって形成された内面２１４ｆからキャビティ２４０ｆに延びる、対応する突出部４２０によって支持されていることを示す。キャビティ２４０ｆ内の一対の隆起部４１０と突起部４２０とは協働して、負荷された荷重の下で弾性反発力をもたらしてグラウンド反発力を減衰させることができる。例えば、一対の隆起部４１０と突起部４２０とは、履物１０ｆの着用者の足の衝撃の大きさを減衰させるスプリングタイプの効果をもたらすために、負荷の下で互いに圧縮することができる。いくつかの例では、一対の隆起部４１０と突起部４２０との間の空隙は、粒子状物質３５０（図示せず）で充填されてもよい。隆起部４１０と突起部４２０の対によってもたらされる弾性圧縮性に加えて、粒子状物質３５０を収容するポケット３４０は、グラウンド反発力に応答してある程度の軟質クッションを提供することができる。従って、一対の隆起部４１０と突出部４２０と協働して粒子状物質３５０を収容するポケット３４０は、従来のミッドソールがもたらす機能及びクッション性を向上させることができる（すなわち、荷重が大きくなればなるほど突起４２０は圧縮され、したがって履物１０ｆがより敏感に反応する）。
【０１０２】
以下の条項は、上述した履物用品のソール構造の例示的な構成を提供する。
【０１０３】
第１項：アッパーと、前記アッパーに取り付けられたミッドソールであって、フットベッドと前記フットベッドの反対側の当該ミッドソールに配置された底面とを含むミッドソールと、アウトソールであって、接地面と、前記接地面の反対側の当該アウトソールに配置された内面と、前記接地面から延びて当該アウトソールを囲む壁と、を含むアウトソールと、粒子状物質を収容するケーシングであって、前記アウトソールの長さよりも長く、その長さに沿った所定の位置に第１の折り目を含み、前記底面と前記内面との間で前記アウトソールの前記壁によって境界が定まっているキャビティ内に受容されたケーシングと、を含むことを特徴とする履物用品。
【０１０４】
第２項：前記所定の位置が、前記ケーシングの中間点又は前記ケーシングの中間点に近接していることを特徴とする第１項の履物用品。
【０１０５】
第３項：前記所定の位置が、前記ケーシングの中間点と前記ケーシングの端部との間に配置されていることを特徴とする第１項の履物用品。
【０１０６】
第４項：前記ケーシングが第１の端部および第２の端部を含み、前記ケーシングが所定の位置で折り畳まれたときに前記第１の端部が前記アウトソール内の第２の端部に近接して配置されていることを特徴とする第１項の履物用品。
【０１０７】
第５項：前記ケーシングが可撓性材料から形成されていることを特徴とする、先行するいずれかの項に記載の履物用品。
【０１０８】
第６項：前記ケーシングがメッシュ材料から形成されていることを特徴とする、先行するいずれかの項に記載の履物用品。
【０１０９】
第７項：前記ケーシングがナイロン材料から形成されていることを特徴とする、先行するいずれかの項に記載の履物用品。
【０１１０】
第８項：前記ケーシングが前記所定の位置を画定する縫い目を含むことを特徴とする、先行するいずれかの項に記載の履物用品。
【０１１１】
第９項：前記ケーシングの複数の壁が一緒に固定され、前記所定の位置を画定していることを特徴とする、先行するいずれかの項に記載の履物用品。
【０１１２】
第１０項：前記ケーシングの複数の壁が一緒に固定され、多数の前記粒子状物質をそれぞれ収容する少なくとも二つのポケットを画定していることを特徴とする、先行するいずれかの項に記載の履物用品。
【０１１３】
第１１項：前記少なくとも二つのポケットが略同じ量の前記粒子状物質を収容することを特徴とする第１０項の履物用品。
【０１１４】
第１２項：前記少なくとも二つのポケットが異なる量の前記粒子状物質を収容することを特徴とする第１０項に記載の履物用品。
【０１１５】
第１３項：前記粒子状物質が発泡体ビーズを含むことを特徴とする、先行するいずれかの項に記載の履物用品。
【０１１６】
第１４項：前記発泡体ビーズが実質的に球形の形状を含むことを特徴とする第１３項に記載の履物用品。
【０１１７】
第１５項：前記発泡体ビーズが略同じサイズ及び形状を有することを特徴とする第１３項に記載の履物用品。
【０１１８】
第１６項：前記発泡体ビーズが異なるサイズ及び形状のうちの少なくとも１つを有することを特徴とする第１３項に記載の履物用品。
【０１１９】
第１７項：前記ケーシングの前記所定の位置と第１の端部との間に前記ケーシングの長さに沿って配置された第２の折り目をさらに含むことを特徴とする第１項に記載の履物用品。
【０１２０】
第１８項：前記ケーシングの前記第１の端部の反対側に配置された第２の端部と前記所定の位置との間に、前記ケーシングの長さに沿って配置された第３の折り目をさらに含むことを特徴とする第１７項に記載の履物用品。
【０１２１】
第１９項：アッパーと、前記アッパーに取り付けられたミッドソールであって、フットベッドと前記フットベッドの反対側の当該ミッドソールに配置された底面とを含むミッドソールと、アウトソールであって、接地面と、前記接地面の反対側の当該アウトソールに配置された内面と、前記接地面から延びて当該アウトソールを囲む壁と、を含むアウトソールと、粒子状物質を収容するケーシングであって、前記アウトソールの長さよりも長く、その長さに沿った所定の位置に第１の折り目を含み、前記底面と前記内面との間で前記アウトソールの前記壁によって境界が定まっているキャビティ内に受容されたケーシングと、を含むことを特徴とする履物用品。
【０１２２】
第２０項：前記所定の位置が、前記ケーシングの中間点又は前記ケーシングの中間点に近接していることを特徴とする第１９項に記載の履物用品。
【０１２３】
第２１項：前記所定の位置が、前記ケーシングの中間点と前記ケーシングの端部との間に配置されていることを特徴とする第１９項に記載の履物用品。
【０１２４】
第２２項：前記ケーシングが第１の端部および第２の端部を含み、前記ケーシングが所定の位置で折り畳まれたときに前記第１の端部が前記アウトソール内の第２の端部に近接して配置されていることを特徴とする第１９項に記載の履物用品。
【０１２５】
第２３項：前記ケーシングが可撓性材料から形成されていることを特徴とする、先行するいずれかの項に記載の履物用品。
【０１２６】
第２４項：前記ケーシングがメッシュ材料から形成されていることを特徴とする第１９〜２３先行するいずれかの項に記載の履物用品。
【０１２７】
第２５項：前記ケーシングがナイロン材料から形成されていることを特徴とする第１９〜２４先行するいずれかの項に記載の履物用品。
【０１２８】
第２６項：前記ケーシングが前記所定の位置を画定する縫い目を含むことを特徴とする、先行するいずれかの項に記載の履物用品。
【０１２９】
第２７項：前記ケーシングの複数の壁が一緒に固定され、前記所定の位置を画定していることを特徴とする、先行するいずれかの項に記載の履物用品。
【０１３０】
第２８項：前記ケーシングの複数の壁が一緒に固定され、多数の前記粒子状物質をそれぞれ収容する少なくとも二つのポケットを画定していることを特徴とする、先行するいずれかの項に記載の履物用品。
【０１３１】
第２９項：前記少なくとも二つのポケットが略同じ量の前記粒子状物質を収容することを特徴とする第２８項に記載の履物用品。
【０１３２】
第３０項：前記少なくとも二つのポケットが異なる量の前記粒子状物質を収容することを特徴とする第１９項に記載の履物用品。
【０１３３】
第３１項：前記粒子状物質が発泡体ビーズを含むことを特徴とする、先行するいずれかの項に記載の履物用品。
【０１３４】
第３２項：前記発泡体ビーズが実質的に球形の形状を含むことを特徴とする第３１項に記載の履物用品。
【０１３５】
第３３項：前記発泡体ビーズが略同じサイズ及び形状を有することを特徴とする第３１項に記載の履物用品。
【０１３６】
第３４項：前記発泡体ビーズが異なるサイズ及び形状のうちの少なくとも１つを有することを特徴とする第３１項に記載の履物用品。
【０１３７】
第３５項：アッパーと、前記アッパーに取り付けられたミッドソールであって、フットベッドと前記フットベッドの反対側の当該ミッドソールに配置された底面とを含むミッドソールと、アウトソールであって、接地面と、前記接地面の反対側の当該アウトソールに配置された内面と、前記接地面から延びて当該アウトソールを囲む壁と、を含むアウトソールと、粒子状物質を収容するケーシングであって、前記アウトソールの長さよりも長く、前記底面と前記内面との間で前記アウトソールの前記壁によって境界が定まっているキャビティ内に折り畳んで受容されたケーシングと、を含むことを特徴とする履物用品。
【０１３８】
第３６項：前記ケーシングの中間点又は前記ケーシングの中間点に近接している位置で折り畳まれていることを特徴とする第３５項に記載の履物用品。
【０１３９】
第３７項：前記ケーシングの中間点と前記ケーシングの端部との間で折り畳まれていることを特徴とする第３５項に記載の履物用品。
【０１４０】
第３８項：前記ケーシングが第１の端部および第２の端部を含み、前記ケーシング自身が折り畳まれたときに前記第１の端部が前記アウトソール内の第２の端部に近接して配置されていることを特徴とする第３５項に記載の履物用品。
【０１４１】
第３９項：前記ケーシングが可撓性材料から形成されていることを特徴とする、先行するいずれかの項に記載の履物用品。
【０１４２】
第４０項：前記ケーシングがメッシュ材料から形成されていることを特徴とする第３５〜３９先行するいずれかの項に記載の履物用品。
【０１４３】
第４１項：前記ケーシングがナイロン材料から形成されていることを特徴とする第３５〜４０先行するいずれかの項に記載の履物用品。
【０１４４】
第４２項：前記ケーシングが折り目を画定する所定の位置をさらに含むことを特徴とする、先行するいずれかの項に記載の履物用品。
【０１４５】
第４３項：前記ケーシングが前記所定の位置を画定する縫い目を含むことを特徴とする第４２項に記載の履物用品。
【０１４６】
第４４項：前記ケーシングの複数の壁が一緒に固定され、前記所定の位置を画定していることを特徴とする第４２項に記載の履物用品。
【０１４７】
第４５項：前記ケーシングの複数の壁が一緒に固定され、多数の前記粒子状物質をそれぞれ収容する少なくとも二つのポケットを画定していることを特徴とする、先行するいずれかの項に記載の履物用品。
【０１４８】
第４６項：前記少なくとも二つのポケットが略同じ量の前記粒子状物質を収容することを特徴とする第４５項に記載の履物用品。
【０１４９】
第４７項：前記少なくとも二つのポケットが異なる量の前記粒子状物質を収容することを特徴とする第４５項に記載の履物用品。
【０１５０】
第４８項：前記粒子状物質が発泡体ビーズを含むことを特徴とする、先行するいずれかの項に記載の履物用品。
【０１５１】
第４９項：前記発泡体ビーズが実質的に球形の形状を含むことを特徴とする第４８項に記載の履物用品。
【０１５２】
第５０項：前記発泡体ビーズが略同じサイズ及び形状を有することを特徴とする第４８項に記載の履物用品。
【０１５３】
第５１項：前記発泡体ビーズが異なるサイズ及び形状のうちの少なくとも１つを有することを特徴とする第４８項に記載の履物用品。
【０１５４】
第５２項：アッパーと、前記アッパーに取り付けられたミッドソールであって、フットベッドと前記フットベッドの反対側の当該ミッドソールに配置された底面とを含むミッドソールと、アウトソールであって、接地面と、前記接地面の反対側の当該アウトソールに配置された内面と、前記接地面から延びて当該アウトソールを囲む壁と、を含むアウトソールと、粒子状物質を収容し、第１の端部と第２の端部との間で延びる長さを有するケーシングであって、前記底面と前記内面との間で前記アウトソールの前記壁によって境界が定まっているキャビティ内に当該ケーシングが受容された時に、前記第１の端部が前記第２の端部に近接して配置されているケーシングと、を含むことを特徴とする履物用品。
【０１５５】
第５３項：前記ケーシングの中間点又は前記ケーシングの中間点に近接している位置で前記ケーシングが折り畳まれていることを特徴とする第５２項に記載の履物用品。
【０１５６】
第５４項：前記ケーシングの中間点と前記ケーシングの端部との間で前記ケーシングが折り畳まれていることを特徴とする第５２項に記載の履物用品。
【０１５７】
第５５項：前記ケーシングが可撓性材料から形成されていることを特徴とする、先行するいずれかの項に記載の履物用品。
【０１５８】
第５６項：前記ケーシングがメッシュ材料から形成されていることを特徴とする、先行するいずれかの項に記載の履物用品。
【０１５９】
第５７項：前記ケーシングがナイロン材料から形成されていることを特徴とする、先行するいずれかの項に記載の履物用品。
【０１６０】
第５８項：前記ケーシングが折り目を画定する所定の位置をさらに含むことを特徴とする、先行するいずれかの項に記載の履物用品。
【０１６１】
第５９項：前記ケーシングが前記所定の位置を画定する縫い目を含むことを特徴とする第５８項に記載の履物用品。
【０１６２】
第６０項：前記ケーシングの複数の壁が一緒に固定され、前記所定の位置を画定していることを特徴とする第５８項に記載の履物用品。
【０１６３】
第６１項：前記ケーシングの複数の壁が一緒に固定され、多数の前記粒子状物質をそれぞれ収容する少なくとも二つのポケットを画定していることを特徴とする、先行するいずれかの項に記載の履物用品。
【０１６４】
第６２項：前記少なくとも二つのポケットが略同じ量の前記粒子状物質を収容することを特徴とする第６１項に記載の履物用品。
【０１６５】
第６３項：前記少なくとも二つのポケットが異なる量の前記粒子状物質を収容することを特徴とする第６１項に記載の履物用品。
【０１６６】
第６４項：前記粒子状物質が発泡体ビーズを含むことを特徴とする、先行するいずれかの項に記載の履物用品。
【０１６７】
第６５項：前記発泡体ビーズが実質的に球形の形状を含むことを特徴とする第６４項に記載の履物用品。
【０１６８】
第６６項：前記発泡体ビーズが略同じサイズ及び形状を有することを特徴とする第６４項に記載の履物用品。
【０１６９】
第６７項：前記発泡体ビーズが異なるサイズ及び形状のうちの少なくとも１つを有することを特徴とする第６４項に記載の履物用品。
【０１７０】
第６８項：フットベッドとアウトソールとの間にキャビティを設けるステップと、ケーシングに粒子状物質を収容させるステップと、前記ケーシングを前記ケーシングの長さに沿った所定の位置で折り畳むステップと、前記ケーシングを前記キャビティ内に挿入するステップと、を含んでなることを特徴とする履物用品を製造する方法。
【０１７１】
第６９項：前記ケーシングを前記アウトソールの長さより長く設けるステップを含むことを特徴とする第６８項に記載の方法。
【０１７２】
第７０項：前記ケーシングを前記所定の位置で折り畳むステップは、前記ケーシングの中間点付近で折り畳むステップを含むことを特徴とする第６８項項に記載の方法。
【０１７３】
第７１項：前記ケーシングを前記所定の位置で折り畳むステップは、前記ケーシングの中間点と端部の間の位置で折り畳むステップを含むことを特徴とする第６８項項に記載の方法。
【０１７４】
第７２項：折り畳まれた前記ケーシングを前記キャビティ内に挿入するステップは、前記ケーシングの第１の端部を第２の端部の近接に位置決めするステップを含むことを特徴とする第６８項項に記載の方法。
【０１７５】
第７３項：前記ケーシングを可撓性材料から形成するステップをさらに含むことを特徴とする、先行するいずれかの項に記載の方法。
【０１７６】
第７４項：前記ケーシングをメッシュ材料から形成するステップをさらに含むことを特徴とする、先行するいずれかの項に記載の方法。
【０１７７】
第７５項：前記ケーシングをナイロン材料から形成するステップをさらに含むことを特徴とする、先行するいずれかの項に記載の方法。
【０１７８】
第７６項：前記ケーシングに前記所定の位置を画定する縫い目を設けるステップをさらに含むことを特徴とする第６８〜７５のいずれか一項に記載の方法。
【０１７９】
第７７項：前記所定の位置を画定するために前記ケーシングの複数の壁を一緒に固定するステップをさらに含むことを特徴とする、先行するいずれかの項に記載の方法。
【０１８０】
第７８項：多数の前記粒子状物質をそれぞれ収容する少なくとも二つのポケットを画定するために前記ケーシングの複数の壁を一緒に固定するステップをさらに含むことを特徴とする、先行するいずれかの項に記載の方法。
【０１８１】
第７９項：多数の前記粒子状物質をそれぞれ収容する前記少なくとも二つのポケットを画定することは、略同じ量の前記粒子状物質をそれぞれ収容する少なくとも二つのポケットを画定することを含むことを特徴とする第７９項に記載の方法。
【０１８２】
第８０項：多数の前記粒子状物質をそれぞれ収容する前記少なくとも二つのポケットを画定することは、異なる量の前記粒子状物質をそれぞれ収容する少なくとも二つのポケットを画定することを含むことを特徴とする第７９項に記載の方法。
【０１８３】
第８１項：前記ケーシングに前記粒子状物質を収容させるステップは、前記ケーシングに多数の発泡体ビーズを提供するステップを含むステップを含むことを特徴とする、先行するいずれかの項に記載の方法。
【０１８４】
第８２項：前記ケーシングに多数の前記発泡体ビーズを提供するステップは、実質的に球形の形状を有する発泡体ビーズを提供するステップを含むことを特徴とする第８１項に記載の方法。
【０１８５】
第８３項：前記ケーシングに多数の前記発泡体ビーズを提供するステップは、略同じサイズ及び形状を有する発泡体ビーズを提供するステップを含むことを特徴とする第８１項に記載の方法。
【０１８６】
第８４項：前記ケーシングに多数の前記発泡体ビーズを提供するステップは、異なるサイズ及び形状のうちの少なくとも１つを有する発泡体ビーズを提供するステップを含むことを特徴とする第８１項に記載の方法。
【０１８７】
前述の説明は、例示および説明のために提供されたものである。網羅的であること、または開示を限定することを意図するものではない。特定の構成の個々の要素または特徴は、一般的にその特定の構成に限定されず、適用可能であれば、交換可能であり、特に図示または説明されていない場合でも、選択された構成で使用することができる。同じことは、多くの点で変化し得る。そのような変形は、開示からの逸脱とみなされるべきではなく、そのような変更のすべては、本開示の範囲内に含まれることが意図される。
【符号の説明】
【０１８８】
１０  履物用品
１２  前足部
１４  中足部
１６  踵部
１８  横側面部
２０  中央側面部
１００  アッパー
１０２  内部空間
１０６  ファスナ
２００  ソール構造
２１０  アウトソール
２１２  接地面
２１４  内面
２２０  ミッドソール
２２２  底面
２２４  フットベッド
２３０  側壁
２４０  キャビティ
３００  ケーシング
３０２  第１の端部
３０４  第２の端部
３０６  内壁
３０８  外壁
３１０、３１２、３１４  折り目
３３０、３３２、３３４、３３６、３４０  ポケット
３５０  粒子状物質
４００  クッション層
４１０  隆起部
４２０  突出部
５２６  縫合部
８０２、８０４  仕切り
８１０、８１２、８１４  内部領域
１４１０、１４１２、１４１４、１４１６、１４１８、１４２０  折り目
【図１】
2018528032.tif 000003
【図２】
2018528032.tif 000004
【図３】
2018528032.tif 000005
【図４】
2018528032.tif 000006
【図５】
2018528032.tif 000007
【図６】
2018528032.tif 000008
【図７】
2018528032.tif 000009
【図８】
2018528032.tif 000010
【図９】
2018528032.tif 000011
【図１０】
2018528032.tif 000012
【図１１】
2018528032.tif 000013
【図１２】
2018528032.tif 000014
【図１３】
2018528032.tif 000015
【図１４】
2018528032.tif 000016
【図１５】
2018528032.tif 000017
【図１６】
2018528032.tif 000018
【図１７】
2018528032.tif 000019
【図１８】
2018528032.tif 000020
【図１９】
2018528032.tif 000021
【図２０】
2018528032.tif 000022
【図２１】
2018528032.tif 000023
【図２２】
2018528032.tif 000024
【図２３】
2018528032.tif 000025
【図２４】
2018528032.tif 000026
【図２５】
2018528032.tif 000027
【図２６】
2018528032.tif 000028
【図２７】
2018528032.tif 000029
【図２８】
2018528032.tif 000030
【国際調査報告】
2018528032.tif 000031
2018528032.tif 000032
2018528032.tif 000033
2018528032.tif 000034
2018528032.tif 000035